(57)【要約】  複数のコンポーネントキャリアを複合的に使用して通信を行なう際に、移動局装置がチャネル状態情報を生成する対象の下りリンクコンポーネントキャリアを柔軟に指定する。基地局装置は、チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、前記移動局装置は、前記情報ビットにセットされた値に従って、前記１つまたは複数の下りリンクコンポーネントキャリアに対するチャネル状態情報を前記物理上りリンク共用チャネルを使用して前記基地局装置へ報告し、前記情報ビットにセットされる値と前記１つまたは複数の下りリンクコンポーネントキャリアの対応は、上位層の信号を使用して、前記基地局装置によって前記移動局装置へ設定される。
2011145460.tif 000002
【特許請求の範囲】
【請求項１】
複数のコンポーネントキャリアを使用して基地局装置と移動局装置が通信する移動通信システムであって、
前記基地局装置は、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、
前記移動局装置は、
前記情報ビットにセットされた値に従って、前記１つまたは複数の下りリンクコンポーネントキャリアに対するチャネル状態情報を前記物理上りリンク共用チャネルを使用して前記基地局装置へ報告し、
前記情報ビットにセットされる値と前記１つまたは複数の下りリンクコンポーネントキャリアの対応は、上位層の信号を使用して、前記基地局装置によって前記移動局装置へ設定されることを特徴とする移動通信システム。
【請求項２】
複数のコンポーネントキャリアを使用して移動局装置と通信する基地局装置であって、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信するユニットと、
前記情報ビットにセットした値に従って、前記１つまたは複数の下りリンクコンポーネントキャリアに対するチャネル状態情報を前記物理上りリンク共用チャネルを使用して前記移動局装置から受信するユニットと、を備え、
前記情報ビットにセットされる値と前記１つまたは複数の下りリンクコンポーネントキャリアの対応は、上位層の信号を使用して、前記基地局装置によって前記移動局装置へ設定されることを特徴とする基地局装置。
【請求項３】
複数のコンポーネントキャリアを使用して基地局装置と通信する移動局装置であって、
チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信するユニットと、
前記情報ビットにセットされた値に従って、前記１つまたは複数の下りリンクコンポーネントキャリアに対するチャネル状態情報を前記物理上りリンク共用チャネルを使用して前記基地局装置へ報告するユニットと、を備え、
前記情報ビットにセットされる値と前記１つまたは複数の下りリンクコンポーネントキャリアの対応は、上位層の信号を使用して、前記基地局装置によって前記移動局装置へ設定されることを特徴とする移動局装置。
【請求項４】
複数のコンポーネントキャリアを使用して移動局装置と通信する基地局装置の通信方法であって、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、
前記情報ビットにセットした値に従って、前記１つまたは複数の下りリンクコンポーネントキャリアに対するチャネル状態情報を前記物理上りリンク共用チャネルを使用して前記移動局装置から受信し、
前記情報ビットにセットされる値と前記１つまたは複数の下りリンクコンポーネントキャリアの対応は、上位層の信号を使用して、前記基地局装置によって前記移動局装置へ設定されることを特徴とする通信方法。
【請求項５】
複数のコンポーネントキャリアを使用して基地局装置と通信する移動局装置の通信方法であって、
チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信し、
前記情報ビットにセットされた値に従って、前記１つまたは複数の下りリンクコンポーネントキャリアに対するチャネル状態情報を前記物理上りリンク共用チャネルを使用して前記基地局装置へ報告し、
前記情報ビットにセットされる値と前記１つまたは複数の下りリンクコンポーネントキャリアの対応は、上位層の信号を使用して、前記基地局装置によって前記移動局装置へ設定されることを特徴とする通信方法。
【発明の詳細な説明】
【技術分野】
【０００１】
本発明は、基地局装置および移動局装置から構成される移動通信システムおよび通信方法に関する。
【背景技術】
【０００２】
３ＧＰＰ（3rd Generation Partnership Project）は、Ｗ-ＣＤＭＡ（Wideband-Code Division Multiple Access）と、ＧＳＭ（Global System for Mobile Communications）とを発展させたネットワークを基本した移動通信システムの仕様の検討・作成を行なうプロジェクトである。３ＧＰＰでは、Ｗ-ＣＤＭＡ方式が第３世代セルラー移動通信方式として標準化され、順次サービスが開始されている。また、通信速度をさらに高速化させたＨＳＤＰＡ（High-speed Downlink Packet Access）も標準化され、サービスが開始されている。３ＧＰＰでは、第３世代無線アクセス技術の進化（以下、「LTE（Long Term Evolution）」または「EUTRA（Evolved Universal Terrestrial Radio Access）」と呼称する）、および、より広帯域な周波数帯域を利用して、さらに高速なデータの送受信を実現する移動通信システム（以下、「LTE-A（Long Term Evolution-Advanced）」または「Advanced-EUTRA」と呼称する）に関する検討が進められている。【０００３】
ＬＴＥにおける通信方式としては、互いに直交するサブキャリアを用いてユーザ多重化を行なうＯＦＤＭＡ（Orthogonal Frequency Division Multiple Access）方式、および、ＳＣ-ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ-ＦＤＭＡ方式が提案されている。【０００４】
一方、ＬＴＥ-Ａにおける通信方式としては、下りリンクでは、ＯＦＤＭＡ方式が、上りリンクでは、ＳＣ-ＦＤＭＡ方式に加えて、Ｃｌｕｓｔｅｒｅｄ-ＳＣ-ＦＤＭＡ（Clustered-Single Carrier-Frequency Division Multiple Access、DFT-S-OFDM with Spectrum Division Control、DFT-precoded OFDMとも呼称される）方式を導入することが検討されている。ここで、ＬＴＥおよびＬＴＥ-Ａにおいて、上りリンクの通信方式として提案されているＳＣ-ＦＤＭＡ方式、Ｃｌｕｓｔｅｒｅｄ-ＳＣ-ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。【０００５】
また、ＬＴＥ-Ａでは、一般的な移動通信システムで使用する周波数帯域は連続であるのに対し、連続および／または不連続な複数の周波数帯域（以下、「コンポーネントキャリア、要素キャリア（CC：Component Carrier）」または「キャリアコンポーネント、キャリア要素（CC：Carrier Component）」と呼称する）を複合的に使用して、１つの周波数帯域（広帯域な周波数帯域）として運用する（周波数帯域集約： Carrier aggregation、Frequency aggregationなどとも呼称される）ことが検討されている。さらに、基地局装置と移動局装置が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献1）。【０００６】
図６は、従来の技術における周波数帯域集約された移動通信システムを説明する図である。図６に示されるような下りリンク（DL：Down Link）の通信に使用される周波数帯域と上りリンク（UL：Up Link）の通信に使用される周波数帯域を同じ帯域幅とすることは、対称周波数帯域集約（Symmetric carrier aggregation）とも呼称される。図６に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行なうことができる。【０００７】
図６では、例として、１００ＭＨｚの帯域幅を持った下りリンクの通信に使用される周波数帯域（以下、DLシステム帯域、DLシステム帯域幅とも呼称する）が、２０ＭＨｚの帯域幅を持った５つの下りリンクコンポーネントキャリア（DCC1：Downlink Component Carrier1、DCC2、DCC3、DCC4、DCC5）によって構成されていることを示している。また、例として、１００ＭＨｚの帯域幅を持った上りリンクの通信に使用される周波数帯域（以下、ULシステム帯域、ULシステム帯域幅とも呼称する）が、２０ＭＨｚの帯域幅を持った５つの上りリンクコンポーネントキャリア（UCC1：Uplink Component Carrier1、UCC2、UCC3、UCC4、UCC5）によって構成されていることを示している。【０００８】
図６において、下りリンクコンポーネントキャリアそれぞれには、物理下りリンク制御チャネル（以下、PDCCH：Physical Downlink Control Channel）、物理下りリンク共用チャネル（以下、PDSCH：Physical Downlink Shared Channel）等の下りリンクのチャネルが配置される。基地局装置は、ＰＤＳＣＨを使用して送信される下りリンクトランスポートブロックを送信するための制御情報（リソース割り当て情報、MCS（変調符号化方式：Modulation and Coding Scheme）情報、HARQ（ハイブリッド自動再送要求：Hybrid Automatic Repeat Request）処理情報など）を、ＰＤＣＣＨを使用して移動局装置へ割り当て、ＰＤＳＣＨを使用して、下りリンクトランスポートブロックを移動局装置へ送信する。ここで、図６において、基地局装置は、同一サブフレームで、最大５つまでの下りリンクトランスポートブロック（PDSCHでも良い）を移動局装置へ送信することができる。【０００９】
また、上りリンクコンポーネントキャリアそれぞれには、物理上りリンク制御チャネル（以下、PUCCH：Physical Uplink Control Channel）、物理上りリンク共用チャネル（以下、PUSCH：Physical Uplink Shared Channel）等の上りリンクのチャネルが配置される。移動局装置は、ＰＵＣＣＨおよび／またはＰＵＳＣＨを使用して、チャネル状態情報（CSI：Channel Statement InformationまたはChannel Statistical Information）や、下りリンクトランスポートブロックに対するＨＡＲＱにおけるＡＣＫ／ＮＡＣＫ（肯定応答：Positive Acknowledgement／否定応答：Negative Acknowledgement、ACKまたはNACK信号）を示す情報（PDSCHに対するACK/NACKを示す情報でも良い）や、スケジューリング要求（SR：Scheduling Request）などの上りリンク制御情報（UCI：Uplink Control Information）を基地局装置へ送信する。ここで、図６において、移動局装置は、同一サブフレームで、最大５つまでの上りリンクトランスポートブロック（PUSCHでも良い）を基地局装置へ送信することができる。【００１０】
ここで、移動局装置から基地局装置へ送信（報告、フィードバック）されるチャネル状態情報（CSI）とは、基地局装置から送信される下りリンク信号に対するチャネル品質を示す情報（下りリンクに対するチャネル品質を示す情報）のことを示している。移動局装置は、基地局装置から送信された下りリンク信号に対するチャネル品質を測定（算出、生成）し、チャネル状態情報として基地局装置へ送信（報告、フィードバック）する。【００１１】
移動局装置から基地局装置へ送信される下りリンク信号に対するチャネル状態を示す情報には、チャネル状態情報（CSI）や、チャネル品質識別子（CQI：Channel Quality Indicator）や、プレコーディングマトリックス識別子（PMI：Precoding Matrix Indicator）や、ランク識別子（RI：Rank Indicator）が含まれる。【００１２】
ここで、ＰＭＩやＲＩは、基地局装置と移動局装置が、ＭＩＭＯ（Multiple Input Multiple Output）を利用したＳＤＭ（Space Division Multiplexing：空間多重技術）やＳＦＢＣ（Space-Frequency Block Diversity）、ＣＤＤ（Cycle Delay Diversity）といった送信ダイバーシティ方式による通信を行なう際に利用される。ＭＩＭＯは、多入力・多出力のシステムまたは技術の総称であり、基地局装置と移動局装置は、送信側、受信側に複数のアンテナを用いて、電波の入出力の分岐数を複数にして伝送する。【００１３】
ここで、ＭＩＭＯを利用して空間多重して送信できる信号系列の単位をストリームと呼び、そのストリームの数（Rank：ランク）は、チャネル状態を考慮して、基地局装置によって決定される。この際、移動局装置によって要求されるストリームの数は、移動局装置から基地局装置へＲＩとして送信される。【００１４】
また、下りリンクにおけるＳＤＭの利用時については、各アンテナから送信される複数のストリームの情報を正しく分離するために、予め送信信号系列に対して前処理が施される（以下、「プレコーディング」と呼称する）。このプレコーディングに関する情報は、移動局装置が、推定したチャネル状態をもとに測定（算出、生成）することができ、移動局装置から基地局装置へＰＭＩとして送信される。【００１５】
同様に、図７は、従来の技術における非対称周波数帯域集約された移動通信システムを説明する図である。図７に示すように、基地局装置と移動局装置は、下りリンクの通信に使用される周波数帯域と上りリンクの通信に使用される周波数帯域とを異なる帯域幅とし、これらの周波数帯域を構成する連続および／または不連続な周波数帯域であるコンポーネントキャリアを複合的に使用して広帯域な周波数帯域で通信を行なうことができる。【００１６】
図７では、例として、１００ＭＨｚの帯域幅を持った下りリンクの通信に使用される周波数帯域が、２０ＭＨｚの帯域幅を持った５つの下りリンクコンポーネントキャリア（DCC1、DCC2、DCC3、DCC4、DCC5）によって構成され、また、４０ＭＨｚの帯域幅を持った上りリンクの通信に使用される周波数帯域が、２０ＭＨｚの帯域幅を持った２つの上りリンクコンポーネントキャリア（UCC1、UCC2）によって構成されていることを示している。【００１７】
ここで、図７において、下りリンク／上りリンクのコンポーネントキャリアそれぞれには下りリンク／上りリンクのチャネルが配置され、基地局装置は、ＰＤＣＣＨを使用してＰＤＳＣＨを移動局装置へ割り当て、ＰＤＳＣＨを使用して下りリンクトランスポートブロックを移動局装置へ送信する。すなわち、図７において、基地局装置は、同一サブフレームで、最大５つまでの下りリンクトランスポートブロック（PDSCHでも良い）を移動局装置へ送信することができる。【００１８】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報（PDSCHに対するACK/NACKを示す情報でも良い）や、スケジューリング要求などの上りリンク制御情報を基地局装置へ送信する。ここで、図７において、移動局装置は、同一サブフレームで、最大２つまでの上りリンクトランスポートブロック（PUSCHでも良い）を基地局装置へ送信することができる。【００１９】
図８は、従来の技術における移動局装置から基地局装置へのチャネル状態情報の送信の例を示す図である。基地局装置８０１は、移動局装置８０２が、チャネル状態情報を含む上りリンク信号８０４を、どの無線リソース（無線リソースブロック）を使用して送信するのかを指示する下りリンク信号８０３を移動局装置へ送信する。移動局装置は、基地局装置によって指示された無線リソースを使用して、チャネル状態情報を、基地局装置へ送信する。【００２０】
図８において、例えば、移動局装置は、基地局装置によって割り当てられたＰＵＣＣＨリソースに、周期的なチャネル状態情報（P-CSI：Periodic CSI）を配置して、基地局装置へ送信する。また、例えば、移動局装置は、基地局装置によって割り当てられたＰＵＳＣＨリソースに、非周期的なチャネル状態情報（A-CSI：Aperiodic CSI）を配置して、基地局装置へ送信する。【００２１】
例えば、基地局装置は、ＰＵＳＣＨリソースを割り当てるＰＤＣＣＨにチャネル状態情報の送信要求を含めて移動局装置へ送信し（例えば、PDCCHに含まれるCSIリクエストを“1”にセットして移動局装置へ送信し）、この情報を受信した移動局装置は、基地局装置によって割り当てられたＰＵＳＣＨリソースにチャネル状態情報を配置して、基地局装置へ送信する（非特許文献2）。
【先行技術文献】
【非特許文献】
【００２２】
【非特許文献１】"Carrier aggregation in LTE-Advanced", 3GPP TSG RAN WG1 Meeting #53bis, R1-082468, June 30-July 4, 2008.
【非特許文献２】"3GPP TSG RAN E-UTRA Physical layer procedure (Release 8)", 3GPP TS 36.213 V8.8.0, 2009-09.
【発明の概要】
【発明が解決しようとする課題】
【００２３】
しかしながら、従来の技術では、基地局装置と移動局装置との間で、チャネル状態情報の生成（測定）対象となる下りリンクの周波数帯域が１つであるシステムを前提としていたために、チャネル状態情報の生成対象となる下りリンクの周波数帯域が２つ以上に設定可能なシステムにおいて、チャネル状態情報の生成対象を指定できないという問題があった。【００２４】
例えば、基地局装置と移動局装置が、複数のコンポーネントキャリアを複合的に使用して通信を行なう際に、移動局装置が、複数の下りリンクコンポーネントキャリアのうち、どの下りリンクコンポーネントキャリアで送信された下りリンク信号に対するチャネル状態情報を生成するのかを指定できないという問題があった。【００２５】
基地局装置は、移動局装置から送信されるチャネル状態情報に基づいて、無線リソースのスケジューリングを行なう。すなわち、移動局装置に対して、チャネル状態情報の生成対象となる下りリンクコンポーネントキャリアを指定できない場合には、基地局装置によって、周波数利用効率を考慮した無線リソースのスケジューリングを行なうことができなくなってしまう。【００２６】
本発明は上記の点に鑑みてなされたものであり、基地局装置と移動局装置が、複数のコンポーネントキャリアを複合的に使用して通信を行なう際に、移動局装置が、どの下りリンクコンポーネントキャリアで送信された下りリンク信号に対するチャネル状態情報を生成するのか、を柔軟に指定することができる移動通信システム、基地局装置、移動局装置および通信方法を提供することを目的とする。
【課題を解決するための手段】
【００２７】
（１）上記の目的を達成するために、本発明は、以下のような手段を講じた。すなわち、本発明の移動通信システムは、複数のコンポーネントキャリアを使用して基地局装置と移動局装置が通信する移動通信システムであって、前記基地局装置は、チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、前記移動局装置は、前記情報ビットにセットされた値に従って、前記１つまたは複数の下りリンクコンポーネントキャリアに対するチャネル状態情報を前記物理上りリンク共用チャネルを使用して前記基地局装置へ報告し、前記情報ビットにセットされる値と前記１つまたは複数の下りリンクコンポーネントキャリアの対応は、上位層の信号を使用して、前記基地局装置によって前記移動局装置へ設定されることを特徴としている。【００２８】
（２）また、本発明の基地局装置は、複数のコンポーネントキャリアを使用して移動局装置と通信する基地局装置であって、チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信するユニットと、前記情報ビットにセットした値に従って、前記１つまたは複数の下りリンクコンポーネントキャリアに対するチャネル状態情報を前記物理上りリンク共用チャネルを使用して前記移動局装置から受信するユニットと、を備え、前記情報ビットにセットされる値と前記１つまたは複数の下りリンクコンポーネントキャリアの対応は、上位層の信号を使用して、前記基地局装置によって前記移動局装置へ設定されることを特徴としている。【００２９】
（３）また、本発明の移動局装置は、複数のコンポーネントキャリアを使用して基地局装置と通信する移動局装置であって、チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信するユニットと、前記情報ビットにセットされた値に従って、前記１つまたは複数の下りリンクコンポーネントキャリアに対するチャネル状態情報を前記物理上りリンク共用チャネルを使用して前記基地局装置へ報告するユニットと、を備え、前記情報ビットにセットされる値と前記１つまたは複数の下りリンクコンポーネントキャリアの対応は、上位層の信号を使用して、前記基地局装置によって前記移動局装置へ設定されることを特徴としている。【００３０】
（４）また、本発明の通信方法は、複数のコンポーネントキャリアを使用して移動局装置と通信する基地局装置の通信方法であって、チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、前記情報ビットにセットした値に従って、前記１つまたは複数の下りリンクコンポーネントキャリアに対するチャネル状態情報を前記物理上りリンク共用チャネルを使用して前記移動局装置から受信し、前記情報ビットにセットされる値と前記１つまたは複数の下りリンクコンポーネントキャリアの対応は、上位層の信号を使用して、前記基地局装置によって前記移動局装置へ設定されることを特徴としている。【００３１】
（５）また、本発明の通信方法は、複数のコンポーネントキャリアを使用して基地局装置と通信する移動局装置の通信方法であって、チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信し、前記情報ビットにセットされた値に従って、前記１つまたは複数の下りリンクコンポーネントキャリアに対するチャネル状態情報を前記物理上りリンク共用チャネルを使用して前記基地局装置へ報告し、前記情報ビットにセットされる値と前記１つまたは複数の下りリンクコンポーネントキャリアの対応は、上位層の信号を使用して、前記基地局装置によって前記移動局装置へ設定されることを特徴としている。
【発明の効果】
【００３２】
本発明によれば、基地局装置と移動局装置が、複数のコンポーネントキャリアを複合的に使用して通信を行なう際に、移動局装置が、どの下りリンクコンポーネントキャリアで送信された下りリンク信号に対するチャネル状態情報を生成するのか、を柔軟に指定することができる。
【図面の簡単な説明】
【００３３】
【図１】本発明の実施形態に係る物理チャネルの構成を概念的に示す図である。
【図２】本発明の実施形態に係る基地局装置の概略構成を示すブロック図である。
【図３】本発明の実施形態に係る移動局装置の概略構成を示すブロック図である。
【図４】本発明の実施形態が適用可能な移動通信システムの例を示す図である。
【図５】下りリンクコンポーネントキャリアの指示の例を示す図である。
【図６】従来の技術における周波数帯域集約の例を示す図である。
【図７】従来の技術における非対称周波数帯域集約の例を示す図である。
【図８】従来の技術におけるチャネル状態情報の送信の例を示す図である。
【発明を実施するための形態】
【００３４】
次に、本発明に係る実施形態について、図面を参照しながら説明する。図１は、本発明の実施形態におけるチャネルの一構成例を示す図である。下りリンクの物理チャネルは、物理下りリンク制御チャネル（PDCCH：Physical Downlink Control Channel）、物理下りリンク共用チャネル（PDSCH：Physical Downlink Shared Channel）などのチャネルによって構成される。上りリンクの物理チャネルは、物理上りリンク共用チャネル（PUSCH：Physical Uplink Shared Channel）、物理上りリンク制御チャネル（PUCCH：Physical Uplink Control Channel）などのチャネルによって構成される。
【００３５】
ＰＤＣＣＨは、ＰＤＳＣＨのリソース割り当て、下りリンクデータに対するＨＡＲＱ処理情報、および、ＰＵＳＣＨのリソース割り当てなどを、移動局装置２００（図1の移動局装置200A〜200Cを合わせて移動局装置200と表す）に通知（指定）するために使用されるチャネルである。ＰＤＤＣＨは、複数の制御チャネル要素（CCE：Control Channel Element）から構成され、移動局装置２００は、ＣＣＥから構成されるＰＤＣＣＨを検出することによって、基地局装置１００からのＰＤＣＣＨを受信する。このＣＣＥは、周波数、時間領域において分散している複数のリソースエレメントグループ（REG：Resource Element Group、mini-CCEとも呼ばれる）によって構成される。ここで、リソースエレメントとは、１ＯＦＤＭシンボル（時間成分）、１サブキャリア（周波数成分）で構成される単位リソースである。
【００３６】
ここで、ＰＤＣＣＨによって送信される下りリンク制御情報（DCI：Downlink Control Information）には、複数のフォーマットが定義される。以下、下りリンク制御情報のフォーマットを、ＤＣＩフォーマット（Downlink Control Information Format）とも呼称する。
【００３７】
例えば、下りリンクに対するＤＣＩフォーマットとしては、基地局装置１００が、ＰＤＳＣＨを、１つの送信アンテナポート、または、複数の送信アンテナポートを使用して送信ダイバーシティ方式で送信する際に用いられるフォーマットが定義される。また、例えば、下りリンクに対するＤＣＩフォーマットとしては、基地局装置１００が、ＰＤＳＣＨを、ＭＩＭＯを利用したＳＤＭで送信する際に用いられるフォーマットが定義される。すなわち、下りリンクに対するＤＣＩフォーマットとして、基地局装置１００が、ＰＤＳＣＨを割り当てる（スケジューリングする）ために使用されるフォーマットが定義される。
【００３８】
ここで、ＰＤＳＣＨを割り当てる（スケジューリングする）ために使用されるＤＣＩフォーマットのＰＤＣＣＨは、基地局装置１００によって、ある（特定の）移動局装置２００が、ＰＤＣＣＨの検索（検出）を試みる移動局装置固有検索領域（USS：User equipment specific Search Spaceとも呼称する）に配置される。
【００３９】
また、例えば、上りリンクに対するＤＣＩフォーマットとしては、移動局装置２００が、ＰＵＳＣＨを、１つの送信アンテナポートで送信する際に用いられるフォーマットが定義される。また、例えば、上りリンクに対するＤＣＩフォーマットとしては、移動局装置２００が、ＰＵＳＣＨを、ＭＩＭＯを利用したＳＤＭで送信する際に用いられるフォーマットが用意される。すなわち、上りリンクに対するＤＣＩフォーマットとしては、基地局装置１００が、ＰＵＳＣＨを割り当てる（スケジューリングする）ために使用されるフォーマットが定義される。
【００４０】
ここで、基地局装置１００が、ＰＵＳＣＨを割り当てる（スケジューリングする）ために使用するＤＣＩフォーマットで送信される情報には、例えば、他のＤＣＩフォーマットとの識別に使用される情報（Flag for format differentiation）、ホッピングを伴う送信を指示する情報（Hopping flag）、ＰＵＳＣＨに対するリソース割り当て情報（Resource block assignment）、変調方式や符号化率、再送用のパラメータを示す情報（Modulation and Coding Scheme and Redundancy version）、送信データが新データかどうかを識別するための情報（New data indicator）、スケジュールされたＰＵＳＣＨに対するＴＰＣコマンド（TPC command for scheduled PUSCH）情報、復調参照信号に施されるサイクリックシフトを示す情報（Cyclic shift for DM RS）、チャネル状態情報の送信指示を示す情報（CSI request）、スケジュールされたＰＵＳＣＨが配置された上りリンクコンポーネントキャリアを指示する情報（コンポーネントキャリア指示フィールド、CIF：Carrier Indicator Field）、パディングビット（Padding bit）が含まれる。すなわち、これらの情報（情報ビット）がマップされるフィールド（情報フィールド）が、ＤＣＩフォーマットに定義される。
【００４１】
ここで、ＰＵＳＣＨを割り当てる（スケジュール）するために使用されるＤＣＩフォーマットのＰＤＣＣＨは、基地局装置１００によって、ある（特定の）移動局装置２００が、ＰＤＣＣＨの検索（検出）を試みる移動局装置固有検索領域（USS：User equipment specific Search Spaceとも呼称する）に配置される。
【００４２】
また、例えば、ＤＣＩフォーマットとして、複数の移動局装置２００に対するグループスケジューリングに使用されるフォーマットが定義される。例えば、ＤＣＩフォーマットとして、複数の移動局装置２００に対する複数のＴＰＣコマンド（Transmission Power Control Command）を含むフォーマットが定義される。
【００４３】
ここで、複数の移動局装置２００に対するグループスケジューリングに使用されるＤＣＩフォーマットが送信されるＰＤＣＣＨは、複数の移動局装置２００によって受信される（検出される）必要があるために、基地局装置１００によって、全ての移動局装置２００がＰＤＣＣＨの検索（検出）を試みる共通検索領域（CSS：Common Search Spaceとも呼称する）に配置される。
【００４４】
ＰＤＣＣＨは、移動局装置２００ごと、種別ごとに別々に符号化（Separate Coding）される。すなわち、移動局装置２００は、複数のＰＤＣＣＨを検出して、下りリンクのリソース割り当てや、上りリンクのリソース割り当てや、その他の制御情報を取得する。各ＰＤＣＣＨには、ＣＲＣ（巡回冗長検査）が付与されており、移動局装置２００は、ＰＤＣＣＨが構成される可能性のあるＣＣＥのセットのそれぞれに対してＣＲＣのチェックを行ない、ＣＲＣが成功したＰＤＣＣＨを、自装置宛のＰＤＣＣＨとして取得する。
【００４５】
これは、ブラインドデコーディング（blind decoding）とも呼称され、移動局装置２００が、ブラインドデコーディングを行なうＰＤＣＣＨが構成される可能性のあるＣＣＥのセットの範囲は、検索領域（Search Space）と呼称される。検索領域には、上述した移動局装置固有検索領域（USS）、共通検索領域（CSS）が含まれる。すなわち、移動局装置２００は、検索領域内のＣＣＥに対して、ブラインドデコーディングを行ない、自装置宛のＰＤＣＣＨの検出を行なう。
【００４６】
移動局装置２００は、自装置宛のＰＤＣＣＨに、ＰＤＳＣＨのリソース割り当てが含まれる場合、基地局装置１００からのＰＤＣＣＨによって指示されたリソース割り当てに応じて、ＰＤＳＣＨを使用して、下りリンク信号（下りリンクデータ（下りリンク共用チャネル（DL-SCH）に対するトランスポートブロック）および／または下りリンク制御データ（下りリンク制御情報）および／または下りリンク参照信号（DRS：Downlink Reference Signal））を受信する。すなわち、このＰＤＣＣＨは、下りリンクに対するリソース割り当てを行なう信号（以下、「下りリンク送信許可信号」、「下りリンクグラント」とも呼称する）とも言える。
【００４７】
また、移動局装置２００は、自装置宛のＰＤＣＣＨに、ＰＵＳＣＨのリソース割り当てが含まれる場合、基地局装置１００からのＰＤＣＣＨによって指示されたリソース割り当てに応じて、ＰＵＳＣＨを使用して、上りリンク信号（上りリンクデータ（上りリンク共用チャネル（UL-SCH）に対するトランスポートブロック）および／または上りリンク制御データ（上りリンク制御情報）および／または上りリンク参照信号（URS：Uplink Reference Signal））を送信する。すなわち、このＰＤＣＣＨは、上りリンクに対するデータ送信を許可する信号（以下、「上りリンク送信許可信号」、「上りリンクグラント」とも呼称する）とも言える。
【００４８】
ＰＤＳＣＨは、下りリンクデータ（下りリンク共用チャネル（DL-SCH）に対するトランスポートブロック）またはページング情報（ページングチャネル：PCH）を送信するために使用されるチャネルである。基地局装置１００は、ＰＤＣＣＨによって割り当てたＰＤＳＣＨを使用して、下りリンクトランスポートブロック（下りリンク共用チャネル（DL-SCH）に対するトランスポートブロック）を移動局装置２００へ送信する。
【００４９】
ここで、下りリンクデータとは、例えば、ユーザーデータを示しており、ＤＬ-ＳＣＨは、トランスポートチャネルである。ＤＬ-ＳＣＨでは、ＨＡＲＱ、動的適応無線リンク制御がサポートされ、また、ビームフォーミングを利用可能である。ＤＬ-ＳＣＨは、動的なリソース割り当て、および、準静的なリソース割り当てがサポートされる。また、システムインフォーメーションブロック（SIB：System Information Block）は、ＤＬ-ＳＣＨにマップされる。
【００５０】
ＰＵＳＣＨは、主に、上りリンクデータ（上りリンク共用チャネル（UL-SCH）に対するトランスポートブロック）を送信するために使用されるチャネルである。移動局装置２００は、基地局装置１００から送信されたＰＤＣＣＨによって割り当てられたＰＵＳＣＨを使用して、上りリンクトランスポートブロック（上りリンク共用チャネル（UL-SCH）に対するトランスポートブロック）を基地局装置１００へ送信する。
【００５１】
また、基地局装置１００が、移動局装置２００をスケジューリングした場合には、上りリンク制御情報もＰＵＳＣＨを使用して送信される。ここで、上りリンク制御情報には、チャネル状態情報（CSI）や、チャネル品質識別子（CQI）や、プレコーディングマトリックス識別子（PMI）や、ランク識別子（RI）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリング要求（SR）が含まれる。
【００５２】
ここで、上りリンクデータとは、例えば、ユーザーデータを示しており、ＵＬ-ＳＣＨは、トランスポートチャネルである。また、ＰＵＳＣＨは、時間領域、周波数領域によって定義される（構成される）物理チャネルである。ＵＬ-ＳＣＨでは、ＨＡＲＱ、動的適応無線リンク制御がサポートされ、また、ビームフォーミングを利用可能である。ＵＬ-ＳＣＨは、動的なリソース割り当て、および、準静的なリソース割り当てがサポートされる。
【００５３】
また、上りリンクデータ（UL-SCH）および下りリンクデータ（DL-SCH）には、基地局装置１００と移動局装置２００の間でやり取りされる無線資源制御信号（以下、「RRCシグナリング：Radio Resource Control Signaling」と呼称する）が含まれていても良い。また、上りリンクデータ（UL-SCH）および下りリンクデータ（DL-SCH）には、基地局装置１００と移動局装置２００の間でやり取りされるＭＡＣ（Medium Access Control）コントロールエレメントが含まれていても良い。
【００５４】
基地局装置１００と移動局装置２００は、ＲＲＣシグナリングを上位層（無線リソース制御（Radio Resource Control）層）において送受信する。また、基地局装置１００と移動局装置２００は、ＭＡＣコントロールエレメントを上位層（媒体アクセス制御（MAC：Medium Access Control）層）において送受信する。
【００５５】
ＰＵＣＣＨは、上りリンク制御情報を送信するために使用されるチャネルである。ここで、上りリンク制御情報には、チャネル状態情報（CSI）や、チャネル品質識別子（CQI）や、プレコーディングマトリックス識別子（PMI）や、ランク識別子（RI）が含まれる。また、上りリンク制御情報には、下りリンクトランスポートブロックに対するＨＡＲＱにおけるＡＣＫ／ＮＡＣＫを示す情報が含まれる。また、上りリンク制御情報には、移動局装置２００が上りリンクデータを送信するためのリソースの割り当てを要求する（UL-SCHでの送信を要求する）スケジューリング要求（SR）が含まれる。
【００５６】
［基地局装置１００の構成］
図２は、本発明の実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部（基地局側受信部）を構成し、データ制御部１０１、送信データ変調部１０２、無線部１０３、スケジューリング部１０４、上位層１０８およびアンテナ１０９で送信部（基地局側送信部）を構成している。
【００５７】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００５８】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００５９】
送信データ変調部１０２は、送信データをＯＦＤＭ方式に変調する。送信データ変調部１０２は、データ制御部１０１から入力されたデータに対して、スケジューリング部１０４からのスケジューリング情報や、各ＰＲＢに対応する変調方式および符号化方式に基づいて、データ変調、符号化、入力信号の直列／並列変換、ＩＦＦＴ（Inverse Fast Fourier Transform：逆高速フーリエ変換）処理、ＣＰ（Cyclic Prefix）挿入、並びに、フィルタリングなどの信号処理を行ない、送信データを生成して、無線部１０３へ出力する。ここで、スケジューリング情報には、下りリンク物理リソースブロックＰＲＢ（Physical Resource Block）割り当て情報、例えば、周波数、時間から構成される物理リソースブロック位置情報が含まれ、各ＰＲＢに対応する変調方式および符号化方式には、例えば、変調方式：１６ＱＡＭ、符号化率：２／３コーディングレートなどの情報が含まれる。
【００６０】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００６１】
スケジューリング部１０４は、媒体アクセス制御（MAC：Medium Access Control）層の処理を行なう。スケジューリング部１０４は、論理チャネルとトランスポートチャネルのマッピング、下りリンクおよび上りリンクのスケジューリング（HARQ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６２】
スケジューリング部１０４は、下りリンクのスケジューリングでは、移動局装置２００から受信した上りリンク制御情報（CSI、CQI、PMI、RIや、下りリンクトランスポートブロックに対するACK/NACKを示す情報、スケジューリング要求など）や、各移動局装置２００の使用可能なＰＲＢの情報や、バッファ状況や、上位層１０８から入力されたスケジューリング情報などに基づいて、各データを変調するための下りリンクのトランスポートフォーマット（送信形態、すなわち、物理リソースブロックの割り当ておよび変調方式および符号化方式など）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００６３】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００の使用可能なＰＲＢの情報、上位層１０８から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００６４】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００６５】
チャネル推定部１０５は、上りリンクデータの復調のために、上りリンク復調用参照信号（UDRS：Uplink Demodulation Reference Signal）から上りリンクのチャネル状態を推定し、その推定結果を受信データ復調部１０６に出力する。また、上りリンクのスケジューリングを行なうために、上りリンク測定用参照信号（SRS：Sounding Reference Signal）から上りリンクのチャネル状態を推定し、その推定結果をスケジューリング部１０４に出力する。
【００６６】
受信データ復調部１０６は、ＯＦＤＭ方式、および／または、ＳＣ-ＦＤＭＡ方式に変調された受信データを復調するＯＦＤＭ復調部および／またはＤＦＴ-Ｓｐｒｅａｄ-ＯＦＤＭ（DFT-S-OFDM）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００６７】
データ抽出部１０７は、受信データ復調部１０６から入力されたデータに対して、正誤を確認するとともに、確認結果（ACKまたはNACK）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩ、ＣＱＩ、ＰＭＩ、ＲＩや、下りリンクトランスポートブロックに対するＡＣＫ／ＮＡＣＫを示す情報や、スケジューリング要求などが含まれている。
【００６８】
上位層１０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する（ただし、図示しない）。
【００６９】
上位層１０８は、無線リソース制御部１１０（制御部とも言う）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（UEID）の管理などを行なっている。上位層１０８は、別の基地局装置１００への情報および上位ノードへの情報の授受を行なう。
【００７０】
［移動局装置２００の構成］
図３は、本発明の実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部（移動局側送信部）を構成し、無線部２０３、スケジューリング部２０４、チャネル推定部２０５、受信データ復調部２０６、データ抽出部２０７、上位層２０８、アンテナ２０９で受信部（移動局側受信部）を構成している。
【００７１】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００７２】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００７３】
送信データ変調部２０２は、送信データをＯＦＤＭ方式、および／または、ＳＣ-ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００７４】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００７５】
スケジューリング部２０４は、媒体アクセス制御（MAC：Medium Access Control）層の処理を行なう。スケジューリング部２０４は、論理チャネルとトランスポートチャネルのマッピング、下りリンクおよび上りリンクのスケジューリング（HARQ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００７６】
スケジューリング部２０４は、下りリンクのスケジューリングでは、基地局装置１００や上位層２０８からのスケジューリング情報（トランスポートフォーマットやHARQ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００７７】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやHARQ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００７８】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたＣＳＩや、ＣＱＩや、ＰＭＩや、ＲＩや、データ抽出部２０７から入力されたＣＲＣチェックの確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００７９】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態（無線伝搬路状態、CSI、CQI、PMI、RI）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０４に出力する。
【００８０】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００８１】
データ抽出部２０７は、受信データ復調部２０６から入力されたデータに対して、ＣＲＣチェックを行ない、正誤を確認するとともに、確認結果（ACKまたはNACKを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００８２】
上位層２０８は、パケットデータ統合プロトコル（PDCP：Packet Data Convergence Protocol）層、無線リンク制御（RLC：Radio Link Control）層、無線リソース制御（RRC：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する（ただし、図示しない）。
【００８３】
上位層２０８は、無線リソース制御部２１０（制御部とも言う）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（UEID）の管理を行なう。
【００８４】
（第１の実施形態）
次に、基地局装置１００および移動局装置２００を用いた移動通信システムにおける本実施形態を説明する。本実施形態では、基地局装置１００は、ＰＵＳＣＨをスケジューリングするＤＣＩフォーマットを移動局装置２００へ通知し、移動局装置２００は、ＤＣＩフォーマットにチャネル状態情報の送信指示が含まれている場合には（例えば、DCIフォーマットに含まれるCSIリクエストが“1”にセットされている場合には）、ＤＣＩフォーマットの中のある特定のフィールドにマップされた情報に対する解釈を変更し、解釈を変更した情報によって指示された下りリンクコンポーネントキャリアに対するチャネル状態情報を生成する。すなわち、基地局装置１００は、ＰＵＳＣＨをスケジューリングするＤＣＩフォーマットを移動局装置２００へ通知し、移動局装置２００は、ＤＣＩフォーマットにチャネル状態情報の送信指示が含まれている場合には（例えば、DCIフォーマットに含まれるCSIリクエストが“1”にセットされている場合には）、ＤＣＩフォーマットの中のある特定のフィールドにセットされた値に対する解釈を変更し、ある特定のフィールドにセットされた値によって指示された下りリンクコンポーネントキャリアに対するチャネル状態情報を生成する。
【００８５】
ここで、ある特定のフィールドにマップされた情報には、ＤＣＩフォーマットにチャネル状態情報の送信指示が含まれていない場合には（例えば、DCIフォーマットに含まれるCSIリクエストが“0”にセットされている場合には）、ＤＣＩフォーマットによってスケジュールされるＰＵＳＣＨが配置された上りリンクコンポーネントキャリアを指示する情報として解釈される情報が含まれても良い。
【００８６】
また、移動局装置２００は、生成したチャネル状態情報を、チャネル状態情報の送信指示が含まれるＤＣＩフォーマットのＰＤＣＣＨが配置された下りリンクコンポーネントキャリアに対応する上りリンクコンポーネントキャリアに配置されたＰＵＳＣＨにマップして基地局装置１００へ送信する。
【００８７】
また、基地局装置１００は、下りリンクコンポーネントキャリアと上りリンクコンポーネントキャリアの対応を、報知情報（broadcast information、例えば、SIB：System Information Block）を使用して、セル固有（Cell specific）に移動局装置２００へ設定する。また、基地局装置１００は、下りリンクコンポーネントキャリアと上りリンクコンポーネントキャリアの対応を、ＲＲＣシグナリングを使用して、移動局装置固有（UE specific）に設定しても良い。
【００８８】
以下、本実施形態では、周波数帯域は、帯域幅（Hz）で定義されているが、周波数と時間で構成されるリソースブロック（RB）の数で定義されても良い。すなわち、帯域幅は、リソースブロックの数によって定義されても良い。また、帯域幅やリソースブロックの数は、サブキャリアの数によって定義することもできる。
【００８９】
本実施形態におけるコンポーネントキャリアとは、広帯域な周波数帯域（システム帯域でも良い）を持った移動通信システムにおいて、基地局装置１００と移動局装置２００が通信を行なう際に複合的に使用する（狭帯域な）周波数帯域を示している。基地局装置１００と移動局装置２００は、複数のコンポーネントキャリア（例えば、20MHzの帯域幅を持った5つのコンポーネントキャリア）を集約することによって、（広帯域な）周波数帯域（例えば、100MHzの帯域幅を持った周波数帯域）を構成し、これら複数のコンポーネントキャリアを複合的に使用することによって、高速なデータ通信（情報の送受信）を実現することができる。
【００９０】
コンポーネントキャリアとは、この広帯域な周波数帯域（例えば、100MHzの帯域幅を持った周波数帯域）を構成する（狭帯域な）周波数帯域（例えば、20MHzの帯域幅を持った周波数帯域）それぞれのことを示している。また、コンポーネントキャリアとは、この（狭帯域な）周波数帯域それぞれの（中心）キャリア周波数を示していても良い。すなわち、下りリンクコンポーネントキャリアは、基地局装置１００と移動局装置２００が、下りリンクの情報を送受信する際に使用可能な周波数帯域の中の一部の帯域（幅）を有し、上りリンクコンポーネントキャリアは、基地局装置１００と移動局装置２００が、上りリンクの情報を送受信する際に使用可能な周波数帯域の中の一部の帯域（幅）を有している。さらに、コンポーネントキャリアは、ある特定の物理チャネル（例えば、PDCCH、PUCCHなど）が構成される単位として定義されてもよい。
【００９１】
また、コンポーネントキャリアは、連続な周波数帯域に配置されていても、不連続な周波数帯域に配置されていてもよく、基地局装置１００と移動局装置２００は、連続および／または不連続な周波数帯域である複数のコンポーネントキャリアを集約することによって、広帯域な周波数帯域を構成し、これら複数のコンポーネントキャリアを複合的に使用することによって、高速なデータ通信（情報の送受信）を実現することができる。
【００９２】
さらに、コンポーネントキャリアによって構成される下りリンクの通信に使用される周波数帯域と上りリンクの通信に使用される周波数帯域は、同じ帯域幅である必要はなく、基地局装置１００と移動局装置２００は、コンポーネントキャリアによって構成される異なる帯域幅を持った下りリンクの周波数帯域、上りリンクの周波数帯域を複合的に使用して通信を行なうことができる（上述した非対称周波数帯域集約：Asymmetric carrier aggregation）。
【００９３】
図４は、本実施形態が適用可能な移動通信システムの例を示す図である。図４は、本実施形態を説明する例として、６０ＭＨｚの帯域幅を持った下りリンクの通信に使用される周波数帯域が、それぞれ２０ＭＨｚの帯域幅を持った３つの下りリンクコンポーネントキャリア（DCC1、DCC2、DCC3）によって構成されていることを示している。また、例として、６０ＭＨｚの帯域幅を持った上りリンクの通信に使用される周波数帯域が、それぞれ２０ＭＨｚの帯域幅を持った３つの上りリンクコンポーネントキャリア（UCC1、UCC2、UCC3）によって構成されていることを示している。図４において、下りリンク／上りリンクのコンポーネントキャリアのそれぞれには下りリンク／上りリンクのチャネルが配置される。
【００９４】
以下、本実施形態として、図４に示すような移動通信システムについて説明するが、本実施形態は、対称周波数帯域集約および非対称周波数帯域集約されたいずれの移動通信システムにでも適用可能であることは勿論である。また、本実施形態では、簡単のために、チャネル状態情報（CSI）について記載するが、本実施形態が、チャネル品質識別子（CQI）や、プレコーディングマトリックス識別子（PMI）や、ランク識別子（RI）に対しても適用できることは勿論である。
【００９５】
図４において、基地局装置１００は、下りリンクコンポーネントキャリアに配置された（1つまたは複数の）ＰＤＣＣＨを使用して、同一サブフレームで、（1つまたは複数の）ＰＤＳＣＨを割り当てる（スケジューリングする）。すなわち、基地局装置１００は、同一サブフレームで、（1つまたは複数の）ＰＤＳＣＨを割り当てる（1つまたは複数の）ＤＣＩフォーマットを移動局装置２００へ通知することができる。
【００９６】
ここで、基地局装置１００は、ＰＤＣＣＨが配置された下りリンクコンポーネントキャリアと同一の下りリンクコンポーネントキャリアに配置されたＰＤＳＣＨを割り当てることができる。すなわち、基地局装置１００は、ＰＤＳＣＨをスケジューリングするＤＣＩフォーマットのＰＤＣＣＨが配置された下りリンクコンポーネントキャリアと同一の下りリンクコンポーネントキャリアに配置されたＰＤＳＣＨをスケジューリングすることができる。
【００９７】
例えば、図４において、基地局装置１００は、ＤＣＣ１に配置されたＰＤＣＣＨ（斜線で示されるPDCCH）を使用して、ＤＣＣ１に配置されたＰＤＳＣＨを割り当てることできる。また、例えば、ＤＣＣ２に配置されたＰＤＣＣＨ（格子線で示されるPDCCH）を使用して、ＤＣＣ２に配置されたＰＤＳＣＨを割り当てることできる。また、例えば、ＤＣＣ３に配置されたＰＤＣＣＨ（網線で示されるPDCCH）を使用して、ＤＣＣ３に配置されたＰＤＳＣＨを割り当てることできる。
【００９８】
また、基地局装置１００は、ＰＤＣＣＨが配置された下りリンクコンポーネントキャリアと同一、または、異なる下りリンクコンポーネントキャリアに配置されたＰＤＳＣＨを割り当てることができる。すなわち、基地局装置１００は、ＰＤＳＣＨをスケジューリングするＤＣＩフォーマットのＰＤＣＣＨが配置される下りリンクコンポーネントキャリアと同一、または、異なる下りリンクコンポーネントキャリアに配置されたＰＤＳＣＨを割り当てることができる。
【００９９】
例えば、基地局装置１００は、ＰＤＳＣＨを割り当てるＰＤＣＣＨにコンポーネントキャリア指示フィールド（CIF：Component carrier Indicator Field、例えば、３ビットで表される情報フィールド）を含めて移動局装置２００へ送信することによって、ＰＤＣＣＨによって割り当てるＰＤＳＣＨが配置される下りリンクコンポーネントキャリアを、移動局装置２００に対して指示することができる。すなわち、基地局装置１００は、ＰＤＳＣＨを割り当てるＰＤＣＣＨにコンポーネントキャリア指示フィールドを含めて移動局装置２００へ送信（通知）し、ＰＤＣＣＨによって、どの下りリンクコンポーネントキャリアに配置されたＰＤＳＣＨを割り当てているのかを、移動局装置２００に対して指示することができる。
【０１００】
例えば、図４において、基地局装置１００は、ＤＣＣ１に配置されたＰＤＣＣＨ（斜線で示されるPDCCH）を使用して、ＤＣＣ２に配置されたＰＤＳＣＨを割り当てることできる。また、例えば、ＤＣＣ２に配置されたＰＤＣＣＨ（格子線で示されるPDCCH）を使用して、ＤＣＣ１に配置されたＰＤＳＣＨを割り当てることできる。また、例えば、ＤＣＣ３に配置されたＰＤＣＣＨ（網線で示されるPDCCH）を使用して、ＤＣＣ３に配置されたＰＤＳＣＨを割り当てることできる。
【０１０１】
ここで、基地局装置１００から送信されるＰＤＣＣＨに含まれるコンポーネントキャリア指示フィールドが、どの値を示している場合に、どの下りリンクコンポーネントキャリアに配置されたＰＤＳＣＨを割り当てているのかは、基地局装置１００によって、例えば、ＲＲＣシグナリングを使用して、移動局装置２００に対して設定される。
【０１０２】
また、基地局装置１００から送信されるＰＤＣＣＨに含まれるコンポーネントキャリア指示フィールドが、どの値を示している場合に、どの下りリンクコンポーネントキャリアに配置されたＰＤＳＣＨを割り当てているのかは、仕様等によって予め規定されても良い。
【０１０３】
すなわち、ＰＤＳＣＨをスケジューリングするＰＤＣＣＨ（DCIフォーマット）に含まれるコンポーネントキャリア指示フィールドにマップされる情報（セットされる値）は、ＰＤＣＣＨ（DCIフォーマット）によってスケジュールされるＰＤＳＣＨが配置された下りリンクコンポーネントキャリアを指示する情報（値）として使用される（基地局装置100と移動局装置200との間で解釈される）。
【０１０４】
また、図４において、基地局装置１００は、（1つまたは複数の）ＰＤＣＣＨを使用して、同一サブフレームで、（1つまたは複数の）ＰＵＳＣＨを割り当てる（スケジューリングする）。すなわち、基地局装置１００は、同一サブフレームで、（1つまたは複数の）ＰＵＳＣＨを割り当てる（1つまたは複数の）ＤＣＩフォーマットを、移動局装置２００へ通知することができる。
【０１０５】
ここで、基地局装置１００は、ＰＤＣＣＨが配置された下りリンクコンポーネントキャリアに対応（リンク）する上りリンクコンポーネントキャリアに配置されたＰＵＳＣＨを割り当てることができる。すなわち、基地局装置１００は、ＰＵＳＣＨをスケジューリングするＤＣＩフォーマットのＰＤＣＣＨが配置された下りリンクコンポーネントキャリアに対応（リンク）する上りリンクコンポーネントキャリアに配置されたＰＵＳＣＨをスケジューリングすることができる。
【０１０６】
例えば、図４において、基地局装置１００は、ＤＣＣ１に配置されたＰＤＣＣＨ（斜線で示されるPDCCH）を使用して、ＵＣＣ１に配置されたＰＵＳＣＨを割り当てることができる。また、例えば、基地局装置１００は、ＤＣＣ２に配置されたＰＤＣＣＨ（格子線で示されるPDCCH）を使用して、ＵＣＣ２に配置されたＰＵＳＣＨを割り当てることができる。また、例えば、基地局装置１００は、ＤＣＣ３に配置されたＰＤＣＣＨ（網線で示されるPDCCH）を使用して、ＵＣＣ３に配置されたＰＵＳＣＨを割り当てることができる。
【０１０７】
ここで、基地局装置１００は、下りリンクコンポーネントキャリアと上りリンクコンポーネントキャリアの対応を、移動局装置２００へ設定することができる。すなわち、基地局装置１００は、ＰＤＣＣＨが配置された下りリンクコンポーネントキャリアと、ＰＤＣＣＨによってスケジュールされるＰＵＳＣＨが配置された上りリンクコンポーネントキャリアの対応を、移動局装置２００へ設定することができる。すなわち、基地局装置１００は、ＰＵＳＣＨをスケジューリングするＤＣＩフォーマットのＰＤＣＣＨが配置された下りリンクコンポーネントキャリアに対応する上りリンクコンポーネントキャリアを、移動局装置２００へ設定することができる。
【０１０８】
例えば、基地局装置１００は、下りリンクコンポーネントキャリアと上りリンクのコンポーネントキャリアの対応を、報知情報（broadcast information、例えば、SIB：System Information Block）を使用して、移動局装置２００へ設定することができる。すなわち、基地局装置１００は、下りリンクコンポーネントキャリアと上りリンクのコンポーネントキャリアの対応を、セル固有（Cell specific）に移動局装置２００へ設定することができる。
【０１０９】
また、例えば、基地局装置１００は、下りリンクコンポーネントキャリアと上りリンクのコンポーネントキャリアの対応を、ＲＲＣシグナリングを使用して、移動局装置２００へ設定することができる、すなわち、基地局装置１００は、下りリンクコンポーネントキャリアと上りリンクのコンポーネントキャリアの対応を、移動局装置固有（UE specific）に移動局装置２００へ設定することができる。
【０１１０】
図４では、例として、基地局装置１００が、移動局装置２００に対して、セル固有または移動局装置固有に、ＤＣＣ１とＵＣＣ１を対応させていることを示している。また、基地局装置１００が、移動局装置２００に対して、セル固有または移動局装置固有に、ＤＣＣ２とＵＣＣ２を対応させていることを示している。また、基地局装置１００が、移動局装置２００に対して、セル固有または移動局装置固有に、ＤＣＣ３とＵＣＣ３を対応させていることを示している。
【０１１１】
また、基地局装置１００は、ＰＵＳＣＨを割り当てるＰＤＣＣＨにコンポーネントキャリア指示フィールド（CIF：Component carrier Indicator Field、例えば、３ビットで表される情報フィールド）を含めて移動局装置２００へ送信することによって、ＰＤＣＣＨを使用して割り当てるＰＵＳＣＨが配置される上りリンクコンポーネントキャリアを、移動局装置２００に対して指示することができる。すなわち、基地局装置１００は、ＰＤＳＣＨを割り当てるＰＤＣＣＨにコンポーネントキャリア指示フィールドを含めて移動局装置２００へ送信し、ＰＤＣＣＨによって、どの上りリンクコンポーネントキャリアに配置されたＰＵＳＣＨを割り当てているのかを、移動局装置２００に対して指示することができる。
【０１１２】
例えば、図４において、基地局装置１００は、ＤＣＣ１に配置されたＰＤＣＣＨ（斜線で示されるPDCCH）を使用して、ＵＣＣ２に配置されたＰＵＳＣＨを割り当てることができる。また、例えば、基地局装置１００は、ＤＣＣ２に配置されたＰＤＣＣＨ（格子線で示されるPDCCH）を使用して、ＵＣＣ１に配置されたＰＵＳＣＨを割り当てることができる。また、例えば、基地局装置１００は、ＤＣＣ３に配置されたＰＤＣＣＨ（網線で示されるPDCCH）を使用して、ＵＣＣ３に配置されたＰＵＳＣＨを割り当てることができる。
【０１１３】
ここで、基地局装置１００から送信されるＰＤＣＣＨに含まれるコンポーネントキャリア指示フィールドが、どの値を示している場合に、どの上りリンクコンポーネントキャリアに配置されたＰＵＳＣＨを割り当てているのかは、基地局装置１００によって、例えば、ＲＲＣシグナリングを使用して、移動局装置２００に対して設定される。
【０１１４】
また、基地局装置１００から送信されるＰＤＣＣＨに含まれるコンポーネントキャリア指示フィールドが、どの値を示している場合に、どの上りリンクコンポーネントキャリアに配置されたＰＤＳＣＨを割り当てているのかは、仕様等によって予め規定されても良い。
【０１１５】
すなわち、ＰＵＳＣＨをスケジューリングするＰＤＣＣＨ（DCIフォーマット）に含まれるコンポーネントキャリア指示フィールドにマップされる情報（セットされる値）は、ＰＤＣＣＨ（DCIフォーマット）によってスケジュールされるＰＵＳＣＨが配置された上りリンクコンポーネントキャリアを指示する情報（値）として使用される（基地局装置100と移動局装置200との間で解釈される）。
【０１１６】
ここで、例えば、後述のように、基地局装置１００が、ＰＵＳＣＨをスケジューリングするＤＣＩフォーマットにチャネル状態情報の送信指示を含めていない場合には、基地局装置１００と移動局装置２００は、このフィールドにマップされる情報を、ＤＣＩフォーマットによってスケジュールされるＰＵＳＣＨが配置された上りリンクコンポーネントキャリアを指示する情報として解釈することができる。
【０１１７】
また、図４において、基地局装置１００は、複数の下りリンクコンポーネントキャリアの中からある特定の（例えば、1つの）下りリンクコンポーネントキャリアを移動局装置２００へ設定することができる。以下、基地局装置１００によって設定される、ある特定の下りリンクコンポーネントキャリアを、プライマリ下りリンクコンポーネントキャリアとも記載する。
【０１１８】
例えば、基地局装置１００は、プライマリ下りリンクコンポーネントキャリアを、報知情報を使用して、移動局装置２００へ設定することができる。また、例えば、基地局装置１００は、プライマリ下りリンクコンポーネントキャリアを、ＲＲＣシグナリングを使用して、移動局装置２００へ設定することができる。ここで、以下、基地局装置１００によって設定される、ある特定の下りリンクコンポーネントキャリア以外の下りリンクコンポーネントキャリアを、セカンダリ下りリンクコンポーネントキャリアとも記載する。
【０１１９】
また、基地局装置１００は、複数の上りリンクコンポーネントキャリアの中からある特定の（例えば、1つの）上りリンクコンポーネントキャリアを移動局装置２００へ設定することができる。以下、基地局装置１００によって設定される、ある特定の上りリンクコンポーネントキャリアを、プライマリ上りリンクコンポーネントキャリアとも記載する。
【０１２０】
例えば、基地局装置１００は、プライマリ上りリンクコンポーネントキャリアを、報知情報を使用して、移動局装置２００へ設定することができる。また、例えば、基地局装置１００は、プライマリ上りリンクコンポーネントキャリアを、ＲＲＣシグナリングを使用して、移動局装置２００へ設定することができる。ここで、以下、基地局装置１００によって設定される、ある特定の上りリンクコンポーネントキャリア以外の上りリンクコンポーネントキャリアを、セカンダリ上りリンクコンポーネントキャリアとも記載する。
【０１２１】
さらに、基地局装置１００は、プライマリ上りリンクコンポーネントキャリアを、プライマリ下りリンクコンポーネントキャリアに対応する上りリンクコンポーネントキャリアとして、移動局装置２００へ設定することができる。すなわち、基地局装置１００は、プライマリ下りリンクコンポーネントキャリアを移動局装置２００へ設定し、移動局装置２００は、プライマリ下りリンクコンポーネントキャリアに対応する上りリンクコンポーネントキャリアを、プライマリ上りリンクコンポーネントキャリアと認識することができる。
【０１２２】
上述したように、基地局装置１００は、プライマリ下りリンクコンポーネントキャリアに配置したＰＤＣＣＨを使用して、プライマリ下りリンクコンポーネントキャリアに配置されたＰＤＳＣＨを、移動局装置２００へ割り当てることができる。また、基地局装置１００は、プライマリ下りリンクコンポーネントキャリアに配置したＰＤＣＣＨを使用して、セカンダリ下りリンクコンポーネントキャリアに配置されたＰＤＳＣＨを、移動局装置２００へ割り当てることができる。
【０１２３】
また、上述したように、基地局装置１００は、プライマリ下りリンクコンポーネントキャリアに配置したＰＤＣＣＨを使用して、プライマリ下りリンクコンポーネントキャリアに対応するプライマリ上りリンクコンポーネントキャリアに配置されたＰＵＳＣＨを、移動局装置２００へ割り当てることができる。また、基地局装置１００は、プライマリ下りリンクコンポーネントキャリアに配置したＰＤＣＣＨを使用して、セカンダリ下りリンクコンポーネントキャリアに配置されたＰＤＳＣＨを、移動局装置２００へ割り当てることができる。
【０１２４】
図４において、基地局装置１００は、ＰＤＣＣＨによって割り当てたＰＤＳＣＨを使用して、下りリンクデータを移動局装置２００へ送信する。例えば、基地局装置１００は、ＤＣＣ１、ＤＣＣ２、ＤＣＣ３に配置されたＰＤＣＣＨそれぞれで割り当てたＰＤＳＣＨを使用して、同一サブフレームで、（最大3つまでの）下りリンクデータを移動局装置２００へ送信することができる。
【０１２５】
また、移動局装置２００は、基地局装置１００から送信されたＰＤＣＣＨによって割り当てられたＰＵＳＣＨを使用して、上りリンクデータを基地局装置１００へ送信する。例えば、移動局装置２００は、ＵＣＣ１、ＵＣＣ２、ＵＣＣ３に配置されたＰＵＳＣＨを使用して、同一サブフレームで、（最大3つまでの）上りリンクデータを基地局装置１００へ送信することができる。
【０１２６】
また、図４において、基地局装置１００は、ＰＵＳＣＨをスケジューリングするＤＣＩフォーマット（PDCCH）にチャネル状態情報の送信指示（送信要求）を含めて移動局装置２００へ通知することによって、移動局装置２００に対して、チャネル状態情報の送信を指示（要求）することができる。例えば、基地局装置１００は、ＰＵＳＣＨをスケジューリングするＤＣＩフォーマットに含まれるＣＳＩリクエストを“１”にセットして移動局装置２００へ通知することによって、移動局装置２００に対して、チャネル状態情報の送信を指示することができる。
【０１２７】
以下、基地局装置１００が、ＰＵＳＣＨをスケジューリングするＤＣＩフォーマットにチャネル状態情報の送信指示を含めて移動局装置２００へ通知することを、単に、ＤＣＩフォーマットにチャネル状態情報の送信指示を含めて移動局装置２００へ通知する、とも記載する。また、基地局装置１００が、移動局装置２００に対して、チャネル状態情報の送信を指示することを、ＣＳＩリクエストを“１”にセットして移動局装置２００へ通知する、とも記載する。また、基地局装置１００が、移動局装置２００に対して、チャネル状態情報の送信を指示していないことを、ＣＳＩリクエストを“０”にセットして移動局装置２００へ通知する、とも記載する。
【０１２８】
基地局装置１００が、移動局装置２００に対してチャネル状態情報の送信を指示していないとは、例えば、移動局装置２００に対して、ＰＵＳＣＨにチャネル状態情報をマップしないで、ＰＵＳＣＨの送信を指示することである。例えば、基地局装置１００は、ＣＳＩリクエストを“０”にセットして移動局装置２００へ通知することによって、移動局装置２００に対して、ＰＵＳＣＨに上りリンクデータをマップして、基地局装置１００へ送信することを指示できる。
【０１２９】
移動局装置２００は、基地局装置１００から通知されたＤＣＩフォーマットにチャネル状態情報の送信指示が含まれている場合には、チャネル状態情報を基地局装置１００へ送信する。この際、移動局装置２００は、ＤＣＩフォーマットによってスケジュールされたＰＵＳＣＨにチャネル状態情報をマップして、基地局装置１００へ送信する。
【０１３０】
ここで、移動局装置２００が、ＤＣＩフォーマットに含まれるチャネル状態情報の送信指示に応じて、チャネル状態情報を基地局装置１００へ送信することは、移動局装置２００による非周期的なチャネル状態情報（A-CSI：Aperiodic CSI）の送信とも、呼称される。基地局装置１００は、ＤＣＩフォーマットにチャネル状態情報の送信指示を含めて移動局装置２００へ通知することによって、移動局装置２００に対して、ダイナミックに（例えば、１ms毎に）、チャネル状態情報の送信を指示することができる。
【０１３１】
図４において、基地局装置１００は、ＰＵＳＣＨをスケジューリングするＤＣＩフォーマットにチャネル状態情報の送信指示を含めて移動局装置２００へ送信し、このＤＣＩフォーマットを通知された移動局装置２００は、ＤＣＩフォーマットによってスケジュールされたＰＵＳＣＨにチャネル状態情報をマップして、基地局装置１００へ送信する。
【０１３２】
この際、移動局装置２００は、上りリンクデータを送信する必要がある場合（バッファに、上りリンクデータが存在する場合）には、基地局装置１００によってスケジュールされたＰＵＳＣＨにチャネル状態情報と上りリンクデータをマップして、基地局装置１００へ送信する。また、この際、移動局装置２００は、下りリンクデータに対するＡＣＫ／ＮＡＣＫを示す情報を送信する必要がある場合には、基地局装置１００によってスケジュールされたＰＵＳＣＨにチャネル状態情報とＡＣＫ／ＮＡＣＫを示す情報をマップして、基地局装置１００へ送信する。
【０１３３】
ここで、移動局装置２００は、基地局装置１００によってスケジュールされたＰＵＳＣＨに、下りリンクコンポーネントキャリア毎に送信された下りリンク信号のいずれかに対して生成（測定）したチャネル状態情報をマップして、基地局装置１００へ送信する。例えば、図４において、移動局装置２００は、ＤＣＣ１、ＤＣＣ２、ＤＣＣ３毎に送信された下りリンク信号のいずれかに対してチャネル状態情報を生成し、生成したチャネル状態情報を基地局装置１００へ送信することができる。
【０１３４】
すなわち、移動局装置２００は、ＤＣＣ１において送信された下りリンク信号に対するチャネル状態情報を、基地局装置１００によってスケジュールされたＰＵＳＣＨにマップして、基地局装置１００へ送信することができる。また、移動局装置２００は、ＤＣＣ２において送信された下りリンク信号に対するチャネル状態情報を、基地局装置１００によってスケジュールされたＰＵＳＣＨにマップして、基地局装置１００へ送信することができる。移動局装置２００は、ＤＣＣ３において送信された下りリンク信号に対するチャネル状態情報を、基地局装置１００によってスケジュールされたＰＵＳＣＨにマップして、基地局装置１００へ送信することができる。
【０１３５】
ここで、基地局装置１００は、移動局装置２００に対して、どの下りリンクコンポーネントキャリアで送信された下りリンク信号に対するチャネル状態情報を生成（測定）するのかを、ＤＣＩフォーマット（PDCCH）に含まれる情報を使用して指示することができる。すなわち、基地局装置１００は、移動局装置２００に対して、チャネル状態情報の生成（測定）対象となる下りリンクコンポーネントキャリア（以下、チャネル状態情報を生成するための下りリンクコンポーネントキャリアとも呼称する）を、ＤＣＩフォーマット（PDCCH）に含まれる情報を使用して指示することができる。
【０１３６】
この際、基地局装置１００によるチャネル状態情報を生成するための下りリンクコンポーネントキャリアの指示は、基地局装置１００が、ＤＣＩフォーマットにチャネル状態情報の送信指示を含めて移動局装置２００へ通知した際に、基地局装置１００と移動局装置２００との間において、ＤＣＩフォーマットの中のある特定のフィールドにマップされた情報に対する解釈を変更することによって、実現することができる。
【０１３７】
すなわち、基地局装置１００と移動局装置２００は、基地局装置１００から通知されるＤＣＩフォーマットにチャネル状態情報の送信指示が含まれている場合には、ＤＣＩフォーマットの中のある特定のフィールドにマップされた情報を、チャネル状態情報を生成するための下りリンクコンポーネントキャリアを指示する情報と、解釈を変更する。
【０１３８】
すなわち、基地局装置１００と移動局装置２００は、基地局装置１００から通知されるＤＣＩフォーマットにチャネル状態情報の送信指示が含まれている場合には、ＤＣＩフォーマットの中のある特定のフィールドにセットされた値を、チャネル状態情報を生成するための下りリンクコンポーネントキャリアを指示する値と、解釈を変更する。
【０１３９】
例えば、基地局装置１００と移動局装置２００は、基地局装置１００から通知されるＤＣＩフォーマットにチャネル状態情報の送信が含まれている場合には、ＤＣＩフォーマットの中のコンポーネントキャリア指示フィールドにマップされた情報を、チャネル状態情報を生成するための下りリンクコンポーネントキャリアを指示する情報と、解釈を変更することができる。
【０１４０】
例えば、基地局装置１００と移動局装置２００は、基地局装置１００から通知されるＤＣＩフォーマットにチャネル状態情報の送信が含まれている場合には、ＤＣＩフォーマットの中のコンポーネントキャリア指示フィールドにセットされた値を、チャネル状態情報を生成するための下りリンクコンポーネントキャリアを指示する値と、解釈を変更することができる。
【０１４１】
以下、本実施形態では、基地局装置１００と移動局装置２００が、基地局装置１００から通知されるＤＣＩフォーマットにチャネル状態情報の送信指示が含まれている場合には、ＤＣＩフォーマットの中のコンポーネントキャリア指示フィールドにマップされた情報の解釈を変更し、チャネル状態情報を生成するための下りリンクコンポーネントキャリアを指示する情報と解釈することを記載するが、ＤＣＩフォーマットの中のある特定のフィールドは、コンポーネントキャリア指示フィールド以外のフィールドであっても良いことは勿論である。
【０１４２】
基地局装置１００と移動局装置２００は、基地局装置１００から通知されるＤＣＩフォーマットにチャネル状態情報の送信指示が含まれている場合には、ＤＣＩフォーマットの中のある特定のフィールド（上述した、PUSCHをスケジューリングするDCIフォーマットで送信される情報がマップされるフィールドのいずれか）にマップされる情報を、チャネル状態情報を生成するための下りリンクコンポーネントキャリアを指示する情報と、解釈を変更することができる。
【０１４３】
ここで、基地局装置１００から通知されるＤＣＩフォーマットにチャネル状態情報の送信指示が含まれている場合に、ＤＣＩフォーマットの中のどのフィールドにマップされた情報に対する解釈を変更するのか（どのフィールドを、ある特定のフィールドとするのか）は、仕様等によって事前に規定される。
【０１４４】
図４において、基地局装置１００は、ＤＣＩフォーマットにチャネル状態情報の送信指示を含めて、移動局装置２００へ通知する。さらに、基地局装置１００は、このＤＣＩフォーマットに、移動局装置２００がどの下りリンクコンポーネントキャリアで送信された下りリンク信号に対するチャネル状態情報を生成するのかを示す情報を含めて、移動局装置２００へ通知する。例えば、基地局装置１００は、ＤＣＩフォーマットに含まれるＣＳＩリクエストを“１”にセットするとともに、コンポーネントキャリア指示フィールドにチャネル状態情報を生成するための下りリンクコンポーネントキャリアを指示する値をセットして（例えば、3ビットで表されるフィールドを“111”にセットして）、移動局装置２００へ通知することができる。
【０１４５】
例えば、図４において、基地局装置１００は、ＤＣＩフォーマットに含まれるＣＳＩリクエストを“１”にセットするとともに、コンポーネントキャリア指示フィールドに、ＤＣＣ１を指示する値（例えば、“000”）をセットして、移動局装置２００へ通知することができる。また、例えば、基地局装置１００は、ＤＣＩフォーマットに含まれるＣＳＩリクエストを“１”にセットするとともに、コンポーネントキャリア指示フィールドに、ＤＣＣ２を指示する値（例えば、“001”）をセットして、移動局装置２００へ通知することができる。また、例えば、基地局装置１００は、ＤＣＩフォーマットに含まれるＣＳＩリクエストを“１”にセットするとともに、コンポーネントキャリア指示フィールドに、ＤＣＣ３を指示する値（例えば、“010”）をセットして、移動局装置２００へ通知することができる。
【０１４６】
基地局装置１００からこのＤＣＩフォーマットを通知された移動局装置２００は、ＤＣＩフォーマットに含まれるチャネル状態情報の送信指示とチャネル状態情報を生成するための下りリンクコンポーネントキャリアを指示する情報に従って、チャネル状態情報を生成し、生成したチャネル状態情報を基地局装置１００へ送信する。
【０１４７】
例えば、図４において、移動局装置２００は、基地局装置１００からの指示に従って、ＤＣＣ１で送信された下りリンク信号に対するチャネル状態情報を生成し、生成したチャネル状態情報を、基地局装置１００へ送信することができる。また、例えば、移動局装置２００は、基地局装置１００からの指示に従って、ＤＣＣ２で送信された下りリンク信号に対するチャネル状態情報を生成し、生成したチャネル状態情報を、基地局装置１００へ送信することができる。また、例えば、移動局装置２００は、基地局装置１００からの指示に従って、ＤＣＣ３で送信された下りリンク信号に対するチャネル状態情報を生成し、生成したチャネル状態情報を、基地局装置１００へ送信することができる。
【０１４８】
ここで、上記の説明では、説明を分かり易くするために、基地局装置１００が、コンポーネントキャリア指示フィールドに、チャネル状態情報を生成するための下りリンクコンポーネントキャリアを指示する値をセットすると記載したが、基地局装置１００から通知されるＤＣＩフォーマットにチャネル状態情報の送信指示が含まれている場合には、基地局装置１００と移動局装置２００の間において、コンポーネントキャリア指示フィールドにマップされる情報に対する解釈が変更されるために、その名称が変更されても良い（コンポーネントキャリア指示フィールドという名称が変更されても良い）。
【０１４９】
ここで、基地局装置１００から通知されるＤＣＩフォーマットの中のある特定のフィールドが、どの値を示している場合に、移動局装置２００が、どの下りリンクコンポーネントキャリアで送信された下りリンク信号に対するチャネル状態情報を生成するのかは、基地局装置１００によって、例えば、ＲＲＣシグナリングを使用して、移動局装置２００に対して設定される。すなわち、基地局装置１００は、ＤＣＩフォーマットの中のある特定のフィールドにセットされる値と、移動局装置２００が、チャネル状態情報を生成するための下りリンクコンポーネントキャリアを指示する情報のマッピング（対応）を、移動局装置２００に対して設定することができる。
【０１５０】
また、基地局装置１００から通知されるＤＣＩフォーマットの中のある特定のフィールドが、どの値を示している場合に、移動局装置２００が、どの下りリンクコンポーネントキャリアで送信された下りリンク信号に対するチャネル状態情報を生成するのかは、仕様等によって予め規定されても良い。
【０１５１】
図５は、基地局装置１００から通知されるＤＣＩフォーマットの中のある特定のフィールドにセットされた値に対応して、移動局装置２００が、どの下りリンクコンポーネントキャリアで送信された下りリンク信号に対するチャネル状態情報を送信するのか、を示す例である。例えば、基地局装置１００は、図５に示すような情報（対応、マッピング）を、ＲＲＣシグナリングを使用して、移動局装置２００へ設定することができる。また、例えば、図５に示すような情報（対応、マッピング）は、仕様等によって予め規定されても良い。
【０１５２】
図５では、例として、ＤＣＩフォーマットの中のある特定のフィールドが３ビットで表され、３ビットで示される情報（8種類の情報）それぞれに、移動局装置２００が、チャネル状態情報を生成するための下りリンクコンポーネントキャリアが対応（マッピング）されている。上述したように、例えば、基地局装置１００は、ＤＣＩフォーマットの中の（3ビットで表される）コンポーネントキャリア指示フィールドを使用して、移動局装置２００が、チャネル状態情報を生成するための下りリンクコンポーネントキャリアを指示することができる。
【０１５３】
図５に示すように、例えば、基地局装置１００は、ある特定のフィールドを“０００”にセットしたＤＣＩフォーマットを移動局装置２００へ通知することによって、移動局装置２００に対して、ＤＣＣ１で送信された下りリンク信号に対するチャネル状態情報を生成するように指示することができる。移動局装置２００は、基地局装置１００からの指示に従って、ＤＣＣ１で送信された下りリンク信号に対するチャネル状態情報を生成する。
【０１５４】
また、例えば、基地局装置１００は、ある特定のフィールドを“０１１”にセットしたＤＣＩフォーマットを移動局装置２００へ通知することによって、移動局装置２００に対して、ＤＣＣ１とＤＣＣ２で送信された下りリンク信号それぞれに対するチャネル状態情報を生成するように指示することができる。移動局装置２００は、基地局装置１００からの指示に従って、ＤＣＣ１とＤＣＣ２で送信された下りリンク信号それぞれに対するチャネル状態情報を生成する。
【０１５５】
すなわち、基地局装置１００は、移動局装置２００に対して、複数の下りリンクコンポーネントキャリアで送信された下りリンク信号それぞれに対するチャネル状態情報を生成するように指示することができる。移動局装置２００は、基地局装置１００からの指示に従って、複数の下りリンクコンポーネントキャリアで送信された下りリンク信号それぞれに対するチャネル状態情報を生成し、生成したチャネル状態情報を基地局装置１００へ送信する。
【０１５６】
ここで、移動局装置２００は、複数の下りリンクコンポーネントキャリアで送信された下りリンク信号それぞれに対する複数のチャネル状態情報を生成し、生成したチャネル状態情報を基地局装置１００へ送信することができる。また、移動局装置２００は、複数の下りリンクコンポーネントキャリアで送信された下りリンク信号それぞれから、例えば、１つのチャネル状態情報を生成し、生成した１つのチャネル状態情報を基地局装置１００へ送信しても良い。
【０１５７】
また、例えば、基地局装置１００は、ある特定のフィールドを“１１０”にセットしたＤＣＩフォーマットを移動局装置２００へ通知することによって、移動局装置２００に対して、ＤＣＣ１とＤＣＣ２とＤＣＣ３で送信された下りリンク信号それぞれに対するチャネル状態情報を生成するように指示することができる。移動局装置２００は、基地局装置１００からの指示に従って、ＤＣＣ１とＤＣＣ２とＤＣＣ３で送信された下りリンク信号それぞれに対するチャネル状態情報を生成する。
【０１５８】
すなわち、基地局装置１００は、移動局装置２００に対して設定した下りリンクコンポーネントキャリア全てで送信された下りリンク信号それぞれに対するチャネル状態情報を生成するように指示することができる。ここで、基地局装置１００は、例えば、ＲＲＣシグナリングを使用して、（事前に）、移動局装置２００との通信に使用する下りリンクコンポーネントキャリアのセット（例えば、PDCCHを使用してPDSCHを割り当てるかもしれないDCCのセット、DCCセットとも呼称する）を、移動局装置２００へ設定することができる。図５では、例として、基地局装置１００が、ＤＣＣセットとして、ＤＣＣ１とＤＣＣ２とＤＣＣ３を、移動局装置２００へ設定していることを示している。
【０１５９】
基地局装置１００からある特定のフィールドを“１１０”にセットされたＤＣＩフォーマットを通知された移動局装置２００は、基地局装置１００によって設定された下りリンクコンポーネントキャリア（DCCセット）全てで送信された下りリンク信号それぞれに対するチャネル状態情報を生成し、生成したチャネル状態情報を基地局装置１００へ送信する。
【０１６０】
ここで、移動局装置２００は、基地局装置１００によって設定された下りリンクコンポーネントキャリア全てで送信された下りリンク信号それぞれに対する複数のチャネル状態情報を生成し、生成したチャネル状態情報を基地局装置１００へ送信することができる。また、移動局装置２００は、基地局装置１００によって設定された下りリンクコンポーネントキャリア全てで送信された下りリンク信号それぞれから、例えば、１つのチャネル状態情報を生成し、生成した１つのチャネル状態情報を基地局装置１００へ送信しても良い。
【０１６１】
図４に戻り、基地局装置１００からＤＣＩフォーマットを通知された移動局装置２００は、ＤＣＩフォーマットに含まれるチャネル状態情報の送信指示とチャネル状態情報を生成するための下りリンクコンポーネントキャリアを指示する情報に従って、チャネル状態情報を生成し、生成したチャネル状態情報を基地局装置１００へ送信する。
【０１６２】
この際、移動局装置２００は、基地局装置１００によって指示された下りリンクコンポーネントキャリアで送信された下りリンク信号に対するチャネル状態情報を、チャネル状態情報の送信指示が含まれるＤＣＩフォーマットのＰＤＣＣＨが配置された下りリンクコンポーネントキャリアに対応する上りリンクコンポーネントキャリアに配置されたＰＵＳＣＨにマップして基地局装置１００へ送信することができる。
【０１６３】
上述したように、例えば、基地局装置１００と移動局装置２００は、基地局装置１００から通知されるＤＣＩフォーマットにチャネル状態情報の送信指示が含まれている場合には、ＤＣＩフォーマットの中のコンポーネントキャリア指示フィールドにマップされた情報（セットされた値）を、チャネル状態情報を生成するための下りリンクコンポーネントキャリアを指示する情報（値）と、解釈を変更することができる。
【０１６４】
この際には、基地局装置１００は、ＰＵＳＣＨをスケジューリングするＤＣＩフォーマットによって、どの上りリンクコンポーネントキャリアに配置されたＰＵＳＣＨをスケジュールしているのかを、移動局装置２００に対して指示することができない。このような場合には、移動局装置２００は、生成したチャネル状態情報を、ＰＵＳＣＨをスケジューリングするＤＣＩフォーマットのＰＤＣＣＨが配置された下りリンクコンポーネントキャリアに対応する上りリンクコンポーネントキャリアに配置されたＰＵＳＣＨにマップして、基地局装置１００へ送信することができる。
【０１６５】
例えば、図４において、基地局装置１００は、ＰＵＳＣＨをスケジューリングするＤＣＩフォーマットを、ＤＣＣ２に配置して移動局装置２００へ通知する。ここで、基地局装置１００は、ＤＣＩフォーマットに含まれるコンポーネントキャリア指示フィールドに、ＤＣＩフォーマットによってスケジューリングするＰＵＳＣＨが配置された上りリンクコンポーネントキャリアを指示する値をセットして、移動局装置２００へ通知する。例えば、基地局装置１００は、ＤＣＩフォーマットによってスケジューリングするＰＵＳＣＨが配置された上りリンクコンポーネントキャリアを指示する値として、ＵＣＣ１を示す“００１”をセットして、移動局装置２００へ通知することができる。
【０１６６】
この際、基地局装置１００から移動局装置２００へ通知されるＤＣＩフォーマットには、チャネル状態情報の送信指示が含まれていない。例えば、基地局装置１００から移動局装置２００へ通知されるＤＣＩフォーマットに含まれるＣＳＩリクエストは“０”にセットされている。
【０１６７】
図４において、基地局装置１００からＤＣＩフォーマットを通知された移動局装置２００は、基地局装置１００によってスケジュールされたＰＵＳＣＨに、例えば、上りリンクデータをマップして、基地局装置１００へ送信する。すなわち、移動局装置２００は、コンポーネントキャリア指示フィールドにセットされた値に従って、指示された上りリンクコンポーネントキャリアに配置されたＰＵＳＣＨに上りリンクデータをマップして、基地局装置１００へ送信する。例えば、移動局装置２００は、コンポーネントキャリア指示フィールドにセットされた値（“001”）に従って、ＵＣＣ１に配置されたＰＵＳＣＨに上りリンクデータをマップして、基地局装置１００へ送信する。
【０１６８】
また、図４において、基地局装置１００は、ＤＣＣ２に配置したＤＣＩフォーマットにチャネル状態情報の送信指示を含めて移動局装置２００へ通知する。例えば、基地局装置１００は、ＤＣＣ２に配置したＤＣＩフォーマットに含まれるＣＳＩリクエストを“１”にセットして、移動局装置２００へ通知する。
【０１６９】
ここで、基地局装置１００は、ＤＣＩフォーマットの中のコンポーネントキャリア指示フィールド（ある特定のフィールドでも良い）に、移動局装置２００が、チャネル状態情報を生成するための下りリンクコンポーネントキャリアを指示する値をセットして、移動局装置２００へ通知する。例えば、基地局装置１００は、ＤＣＩフォーマットの中のコンポーネントキャリア指示フィールドに、移動局装置２００が、チャネル状態情報を生成するための下りリンクコンポーネントキャリアを指示する値として、ＤＣＣ３を示す“０１０”をセットして、移動局装置２００へ通知する。
【０１７０】
基地局装置１００と移動局装置２００は、基地局装置１００から通知されるＤＣＩフォーマットにチャネル状態情報の送信指示が含まれているかどうかに応じて、ＤＣＩフォーマットの中のコンポーネントキャリア指示フィールドにセットされる値に対する解釈を変更する（上りリンクコンポーネントキャリアを指示する値なのか、下りリンクコンポーネントキャリアを指示する値なのか、解釈を変更する）。
【０１７１】
図４において、基地局装置１００からチャネル状態情報の送信指示を含むＤＣＩフォーマットを通知された移動局装置２００は、基地局装置１００によってスケジュールされたＰＵＳＣＨに、チャネル状態情報をマップして、基地局装置１００へ送信する。ここで、移動局装置２００は、コンポーネントキャリア指示フィールドにセットされた値（チャネル状態情報を生成するための下りリンクコンポーネントキャリアを指示する値）に従って、指示された下りリンクコンポーネントキャリアで送信された下りリンク信号に対するチャネル状態情報を生成する。例えば、移動局装置２００は、コンポーネントキャリア指示フィールドにセットされた値（“010”）に従って、ＤＣＣ３で送信された下りリンク信号に対するチャネル状態情報を生成する。
【０１７２】
また、移動局装置２００は、ＰＵＳＣＨをスケジューリングするＤＣＩフォーマットのＰＤＣＣＨが配置された下りリンクコンポーネントキャリアに対応する上りリンクコンポーネントキャリアに配置されたＰＵＳＣＨに、生成したチャネル状態情報をマップして、基地局装置１００へ送信する。例えば、移動局装置２００は、ＰＵＳＣＨをスケジューリングするＤＣＩフォーマットのＰＤＣＣＨが配置されたＤＣＣ２に対応するＵＣＣ２に配置されたＰＵＳＣＨに、生成したチャネル状態情報をマップして、基地局装置１００へ送信する。ここで、基地局装置１００は、報知情報またはＲＲＣシグナリングを使用して、ＤＣＣ２とＵＣＣ２の対応を、事前に、移動局装置２００に対して設定している。
【０１７３】
また、図４において、基地局装置１００は、プライマリ下りリンクコンポーネントキャリアに配置したＤＣＩフォーマットにチャネル状態情報の送信指示を含めて移動局装置２００へ通知する。例えば、基地局装置１００は、プライマリ下りリンクコンポーネントキャリアに配置したＤＣＩフォーマットに含まれるＣＳＩリクエストを“１”にセットして、移動局装置２００へ通知する。上述したように、基地局装置１００は、複数の下りリンクコンポーネントキャリアの中のある特定の下りリンクコンポーネントキャリアを、プライマリ下りリンクコンポーネントキャリアとして、移動局装置２００へ設定することができる。
【０１７４】
ここで、基地局装置１００は、ＤＣＩフォーマットの中のコンポーネントキャリア指示フィールド（ある特定のフィールドでも良い）に、移動局装置２００が、チャネル状態情報を生成するための下りリンクコンポーネントキャリアを指示する値をセットして、移動局装置２００へ通知する。例えば、基地局装置１００は、ＤＣＩフォーマットの中のコンポーネントキャリア指示フィールドに、移動局装置２００が、チャネル状態情報を生成するための下りリンクコンポーネントキャリアを指示する値として、ＤＣＣ３を示す“０１０”をセットして、移動局装置２００へ通知する。
【０１７５】
基地局装置１００と移動局装置２００は、基地局装置１００から通知されるＤＣＩフォーマットにチャネル状態情報の送信指示が含まれているかどうかに応じて、ＤＣＩフォーマットの中のコンポーネントキャリア指示フィールドにセットされる値に対する解釈を変更する（上りリンクコンポーネントキャリアを指示する値なのか、下りリンクコンポーネントキャリアを指示する値なのか、解釈を変更する）。
【０１７６】
図４において、基地局装置１００からチャネル状態情報の送信指示を含むＤＣＩフォーマットを通知された移動局装置２００は、基地局装置１００によってスケジュールされたＰＵＳＣＨに、チャネル状態情報をマップして、基地局装置１００へ送信する。ここで、移動局装置２００は、コンポーネントキャリア指示フィールドにセットされた値（チャネル状態情報を生成するための下りリンクコンポーネントキャリアを指示する値）に従って、指示された下りリンクコンポーネントキャリアで送信された下りリンク信号に対するチャネル状態情報を生成する。例えば、移動局装置２００は、コンポーネントキャリア指示フィールドにセットされた値（“010”）に従って、ＤＣＣ３で送信された下りリンク信号に対するチャネル状態情報を生成する。
【０１７７】
また、移動局装置２００は、ＰＵＳＣＨをスケジューリングするＤＣＩフォーマットのＰＤＣＣＨが配置されたプライマリ下りリンクコンポーネントキャリアに対応する上りリンクコンポーネントキャリアに配置されたＰＵＳＣＨに、生成したチャネル状態情報をマップして、基地局装置１００へ送信する。すなわち、移動局装置２００は、プライマリ上りリンクコンポーネントキャリアに配置されたＰＵＳＣＨに、生成したチャネル状態情報をマップして、基地局装置１００へ送信する。すなわち、基地局装置１００は、プライマリ下りリンクコンポーネントキャリアに配置したＤＣＩフォーマットにチャネル状態情報の送信指示を含めて移動局装置２００へ通知し、移動局装置２００は、プライマリ上りリンクコンポーネントキャリアに配置されたＰＵＳＣＨに、生成したチャネル状態情報をマップして、基地局装置１００へ送信する。
【０１７８】
ここで、基地局装置１００は、報知情報またはＲＲＣシグナリングを使用して、プライマリ下りリンクコンポーネントキャリアとプライマリ上りリンクコンポーネントキャリアの対応を、事前に、移動局装置２００に対して設定している。
【０１７９】
上述したように、基地局装置１００と移動局装置２００は、基地局装置１００から通知されるＤＣＩフォーマットにチャネル状態情報の送信指示が含まれているかどうかに応じて、ＤＣＩフォーマットの中のある特定のフィールドにマップされる情報に対する解釈を変更する。
【０１８０】
すなわち、移動局装置２００は、チャネル状態情報を生成する際に（PUSCHに情報をマップする際にでも良い）、最初に、チャネル状態情報の送信が指示されているかどうかを確認し、その後に、ある特定のフィールドにマップされている情報（セットされている値）を確認する。例えば、移動局装置２００は、チャネル状態情報を生成する際に、最初に、ＣＳＩリクエスト（CSIリクエストフィールド）にセットされている値を確認し、その後に、コンポーネントキャリア指示フィールドにセットされている値を確認する。移動局装置２００は、最初に確認したＣＳＩリクエストにセットされている値に応じて、その後に確認するコンポーネントキャリア指示フィールドにセットされている値に対する解釈を変更する。
【０１８１】
上記までに示したように、基地局装置１００が、チャネル状態情報を生成するための下りリンクコンポーネントキャリアを指示する情報をＤＣＩフォーマットに含めて移動局装置２００へ送信することによって、移動局装置２００が、チャネル状態情報を生成する際の生成（測定）対象となる下りリンクコンポーネントキャリアを、基地局装置１００によって柔軟に指定することができる。
【０１８２】
移動局装置２００が、基地局装置１００によって指示された下りリンクコンポーネントキャリアで送信された下りリンク信号に対するチャネル状態情報を基地局装置１００へ送信することによって、基地局装置１００は、周波数利用効率を考慮した無線リソースのスケジューリングを行なうことができる。
【０１８３】
また、基地局装置１００が、チャネル状態情報を生成するための下りリンクコンポーネントキャリアを指示する情報をＤＣＩフォーマットに含めて移動局装置２００へ送信することによって、移動局装置２００が、チャネル状態情報を生成する際の生成（測定）対象となる下りリンクコンポーネントキャリアを、動的（ダイナミック）に指定することができる。
【０１８４】
さらに、基地局装置１００と移動局装置２００が、基地局装置１００から通知されるＤＣＩフォーマットにチャネル状態情報の送信指示が含まれている場合には、ＤＣＩフォーマットの中のある特定のフィールドにマップされた情報に対する解釈を変更し、チャネル状態情報を生成するための下りリンクコンポーネントキャリアを指示する情報と解釈することによって、チャネル状態情報の生成対象を指示するための新たなフィールドを追加することなく、基地局装置１００が、チャネル状態情報を生成するための下りリンクコンポーネントキャリアを指示することができる。
【０１８５】
また、本発明は、以下のような態様を採ることも可能である。すなわち、本発明の移動通信システムは、複数のコンポーネントキャリアを使用して基地局装置と移動局装置が通信を行なう移動通信システムであって、前記基地局装置は、物理上りリンク共用チャネルをスケジューリングする下りリンク制御情報フォーマットを前記移動局装置へ通知し、前記移動局装置は、前記下りリンク制御情報フォーマットにチャネル状態情報の送信指示が含まれている場合には、前記下りリンク制御情報フォーマットの中のある特定のフィールドにマップされた情報に対する解釈を変更し、前記情報によって指示された下りリンクコンポーネントキャリアに対するチャネル状態情報を生成することを特徴としている。
【０１８６】
また、前記ある特定のフィールドにマップされた情報は、前記下りリンク制御情報フォーマットに前記チャネル状態情報の送信指示が含まれていない場合には、前記下りリンク制御情報フォーマットによってスケジュールされる前記物理上りリンク共用チャネルが配置された上りリンクコンポーネントキャリアを指示する情報として解釈されることを特徴としている。
【０１８７】
また、前記移動局装置は、前記生成したチャネル状態情報を、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップして前記基地局装置へ送信することを特徴としている。
【０１８８】
また、前記基地局装置は、前記下りリンクコンポーネントキャリアと前記上りリンクコンポーネントキャリアの対応を、報知情報を使用して、前記移動局装置へ設定することを特徴としている。
【０１８９】
また、複数のコンポーネントキャリアを使用して基地局装置と移動局装置が通信を行なう移動通信システムにおける基地局装置であって、物理上りリンク共用チャネルをスケジューリングする下りリンク制御情報フォーマットを前記移動局装置へ通知する手段と、前記下りリンク制御情報フォーマットにチャネル状態情報の送信指示を含めた場合には、前記下りリンク制御情報フォーマットの中のある特定のフィールドにマップされた情報に対する解釈を変更し、前記情報によって指示した下りリンクコンポーネントキャリアに対するチャネル状態情報を前記移動局装置から受信する手段と、を備えることを特徴としている。
【０１９０】
また、前記チャネル状態情報を前記移動局装置から受信する手段は、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップされた前記チャネル状態情報を、前記移動局装置から受信することを特徴としている。
【０１９１】
また、複数のコンポーネントキャリアを使用して基地局装置と移動局装置が通信を行なう移動通信システムにおける移動局装置であって、物理上りリンク共用チャネルをスケジューリングする下りリンク制御情報フォーマットを前記基地局装置から通知される手段と、前記下りリンク制御情報フォーマットにチャネル状態情報の送信指示が含まれている場合には、前記下りリンク制御情報フォーマットの中のある特定のフィールドにマップされた情報に対する解釈を変更し、前記情報によって指示された下りリンクコンポーネントキャリアに対するチャネル状態情報を生成する手段と、を備えることを特徴としている。
【０１９２】
また、前記生成したチャネル状態情報を、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップして前記基地局装置へ送信する手段を、備えることを特徴としている。
【０１９３】
また、複数のコンポーネントキャリアを使用して基地局装置と移動局装置が通信を行なう移動通信システムにおける基地局装置の通信方法であって、物理上りリンク共用チャネルをスケジューリングする下りリンク制御情報フォーマットを前記移動局装置へ通知し、前記下りリンク制御情報フォーマットにチャネル状態情報の送信指示を含めた場合には、前記下りリンク制御情報フォーマットの中のある特定のフィールドにマップされた情報に対する解釈を変更し、前記情報によって指示した下りリンクコンポーネントキャリアに対するチャネル状態情報を前記移動局装置から受信することを特徴としている。
【０１９４】
また、前記基地局装置は、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップされた前記チャネル状態情報を、前記移動局装置から受信することを特徴としている。
【０１９５】
また、複数のコンポーネントキャリアを使用して基地局装置と移動局装置が通信を行なう移動通信システムにおける移動局装置の通信方法であって、物理上りリンク共用チャネルをスケジューリングする下りリンク制御情報フォーマットを前記基地局装置から通知され、前記下りリンク制御情報フォーマットにチャネル状態情報の送信指示が含まれている場合には、前記下りリンク制御情報フォーマットの中のある特定のフィールドにマップされた情報に対する解釈を変更し、前記情報によって指示された下りリンクコンポーネントキャリアに対するチャネル状態情報を生成することを特徴としている。
【０１９６】
また、前記生成したチャネル状態情報を、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップして前記基地局装置へ送信することを特徴としている。
【０１９７】
また、複数のコンポーネントキャリアを使用して基地局装置と移動局装置が通信を行なう移動通信システムにおける基地局装置であって、物理上りリンク共用チャネルをスケジューリングする下りリンク制御情報フォーマットを前記移動局装置へ通知する基地局側送信部と、前記下りリンク制御情報フォーマットにチャネル状態情報の送信指示を含めた場合には、前記下りリンク制御情報フォーマットの中のある特定のフィールドにマップされた情報に対する解釈を変更し、前記情報によって指示した下りリンクコンポーネントキャリアに対するチャネル状態情報を前記移動局装置から受信する基地局側受信部と、を備えることを特徴としている。
【０１９８】
また、前記チャネル状態情報を前記移動局装置から受信する基地局側受信部は、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップされた前記チャネル状態情報を、前記移動局装置から受信することを特徴としている。
【０１９９】
また、複数のコンポーネントキャリアを使用して基地局装置と移動局装置が通信を行なう移動通信システムにおける移動局装置であって、物理上りリンク共用チャネルをスケジューリングする下りリンク制御情報フォーマットを前記基地局装置から通知される移動局側受信部と、前記下りリンク制御情報フォーマットにチャネル状態情報の送信指示が含まれている場合には、前記下りリンク制御情報フォーマットの中のある特定のフィールドにマップされた情報に対する解釈を変更し、前記情報によって指示された下りリンクコンポーネントキャリアに対するチャネル状態情報を生成するチャネル推定部と、を備えることを特徴としている。
【０２００】
また、前記生成したチャネル状態情報を、前記チャネル状態情報の送信指示が含まれる前記下りリンク制御情報フォーマットの物理下りリンク制御チャネルが配置された下りリンクコンポーネントキャリアに対応する上りリンクコンポーネントキャリアに配置された前記物理上りリンク共用チャネルにマップして前記基地局装置へ送信する移動局側送信部を、備えることを特徴としている。
【０２０１】
以上説明した実施形態は、基地局装置１００および移動局装置２００に搭載される集積回路／チップセットにも適用される。また、以上説明した実施形態において、基地局装置１００内の各機能や、移動局装置２００内の各機能を実現するためのプログラムをコンピュータ読み取り可能な記録媒体に記録して、この記録媒体に記録されたプログラムをコンピュータシステムに読み込ませ、実行することにより基地局装置１００や移動局装置２００の制御を行なっても良い。なお、ここでいう「コンピュータシステム」とは、ＯＳや周辺機器等のハードウェアを含むものとする。
【０２０２】
また、「コンピュータ読み取り可能な記録媒体」とは、フレキシブルディスク、光磁気ディスク、ＲＯＭ、ＣＤ-ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０２０３】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２０４】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００（200A、200B、200C）  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2011145460.tif 000003
【図２】
2011145460.tif 000004
【図３】
2011145460.tif 000005
【図４】
2011145460.tif 000006
【図５】
2011145460.tif 000007
【図６】
2011145460.tif 000008
【図７】
2011145460.tif 000009
【図８】
2011145460.tif 000010
【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
複数のコンポーネントキャリアを使用して基地局装置と移動局装置が通信する移動通信システムであって、
前記基地局装置は、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、
前記移動局装置は、
前記情報ビットにセットされた値に従って、前記１つまたは複数の下りリンクコンポーネントキャリアに対するチャネル状態情報を前記物理上りリンク共用チャネルを使用して前記基地局装置へ報告し、
前記情報ビットにセットされる値と前記１つまたは複数の下りリンクコンポーネントキャリアの対応は、上位層の信号を使用して、前記基地局装置によって前記移動局装置へ設定されることを特徴とする移動通信システム。
【請求項２】
複数のコンポーネントキャリアを使用して移動局装置と通信する基地局装置であって、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信する手段と、
前記情報ビットにセットした値に従って、前記１つまたは複数の下りリンクコンポーネントキャリアに対するチャネル状態情報を前記物理上りリンク共用チャネルを使用して前記移動局装置から受信する手段と、を備え、
前記情報ビットにセットされる値と前記１つまたは複数の下りリンクコンポーネントキャリアの対応は、上位層の信号を使用して、前記基地局装置によって前記移動局装置へ設定されることを特徴とする基地局装置。
【請求項３】
複数のコンポーネントキャリアを使用して基地局装置と通信する移動局装置であって、
チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信する手段と、
前記情報ビットにセットされた値に従って、前記１つまたは複数の下りリンクコンポーネントキャリアに対するチャネル状態情報を前記物理上りリンク共用チャネルを使用して前記基地局装置へ報告する手段と、を備え、
前記情報ビットにセットされる値と前記１つまたは複数の下りリンクコンポーネントキャリアの対応は、上位層の信号を使用して、前記基地局装置によって前記移動局装置へ設定されることを特徴とする移動局装置。
【請求項４】
複数のコンポーネントキャリアを使用して移動局装置と通信する基地局装置の通信方法であって、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信し、
前記情報ビットにセットした値に従って、前記１つまたは複数の下りリンクコンポーネントキャリアに対するチャネル状態情報を前記物理上りリンク共用チャネルを使用して前記移動局装置から受信し、
前記情報ビットにセットされる値と前記１つまたは複数の下りリンクコンポーネントキャリアの対応は、上位層の信号を使用して、前記基地局装置によって前記移動局装置へ設定されることを特徴とする通信方法。
【請求項５】
複数のコンポーネントキャリアを使用して基地局装置と通信する移動局装置の通信方法であって、
チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信し、
前記情報ビットにセットされた値に従って、前記１つまたは複数の下りリンクコンポーネントキャリアに対するチャネル状態情報を前記物理上りリンク共用チャネルを使用して前記基地局装置へ報告し、
前記情報ビットにセットされる値と前記１つまたは複数の下りリンクコンポーネントキャリアの対応は、上位層の信号を使用して、前記基地局装置によって前記移動局装置へ設定されることを特徴とする通信方法。
【請求項６】
複数のコンポーネントキャリアを使用して移動局装置と通信する基地局装置に搭載される集積回路であって、
チャネル状態情報の報告を要求する１つまたは複数の下りリンクコンポーネントキャリアに対応する値にセットした情報ビットが含まれる、物理上りリンク共用チャネルのスケジューリングに使用される下りリンク制御情報フォーマットを前記移動局装置へ送信する機能と、
前記情報ビットにセットした値に従って、前記１つまたは複数の下りリンクコンポーネントキャリアに対するチャネル状態情報を前記物理上りリンク共用チャネルを使用して前記移動局装置から受信する機能と、
前記情報ビットにセットされる値と前記１つまたは複数の下りリンクコンポーネントキャリアの対応を、上位層の信号を使用して前記移動局装置へ設定する機能と、を有することを特徴とする集積回路。
【請求項７】
複数のコンポーネントキャリアを使用して基地局装置と通信する移動局装置に搭載される集積回路であって、
チャネル状態情報の報告を要求される１つまたは複数の下りリンクコンポーネントキャリアに対応する値にセットした情報ビットが含まれる、物理上りリンク共用チャネルのスケジューリングに使用される下りリンク制御情報フォーマットを前記基地局装置から受信する機能と、
前記情報ビットにセットされた値に従って、前記１つまたは複数の下りリンクコンポーネントキャリアに対するチャネル状態情報を前記物理上りリンク共用チャネルを使用して前記基地局装置へ報告する機能と、を有し、
前記情報ビットにセットされる値と前記１つまたは複数の下りリンクコンポーネントキャリアの対応は、上位層の信号を使用して、前記基地局装置によって前記移動局装置へ設定されることを特徴とする集積回路。
【国際調査報告】
2011145460.tif 000011
2011145460.tif 000012
2011145460.tif 000013